(57)【特許請求の範囲】
【請求項１】
ワイヤレスネットワークにおいてスケジューリングリクエスト（ＳＲ）を通信するための、ユーザ機器（ＵＥ）によって実施される方法であって、
アップリンクまたはダウンリンク通信のために動的に構成される送信時間間隔（ＴＴＩ）を含むフレーム構造を使用して、ネットワークエンティティと通信することと、
１つ以上のＳＲモードを特定する前記ネットワークエンティティからの構成を受信することと、
前記フレーム構造に少なくとも部分的に基づいて、アップリンク通信のために構成された前記ＴＴＩの１つ以上において、前記ネットワークエンティティへのＳＲ送信のために少なくとも１つのＳＲモードを選択すること、ここにおいて、前記少なくとも１つのＳＲモードは、周期的なＳＲモード、非周期的なＳＲモード、または日和見的なモードのうちの少なくとも１つであり、前記少なくとも１つのＳＲモードを選択することは、前記構成に基づいて、前記１つ以上のＳＲモードから前記少なくとも１つのＳＲモードを選択することを備える、と、  前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信することと
を備える、方法。
【請求項２】
前記ＴＴＩは、１つ以上の直交周波数分割多重シンボルに対応する、請求項１に記載の方法。
【請求項３】
前記少なくとも１つのＳＲモードは、前記少なくとも１つのアップリンクＴＴＩにおける１つ以上の他の送信と前記ＳＲを多重化するための非周期的なＳＲモードを含む、請求項１に記載の方法。
【請求項４】
前記１つ以上の他の送信は、前記少なくとも１つのアップリンクＴＴＩにおけるハイブリッド自動再送／要求（ＨＡＲＱ）送信またはチャネル状態情報（ＣＳＩ）送信のうちの少なくとも１つを含む、請求項３に記載の方法。
【請求項５】
前記少なくとも１つのＳＲモードは、前記少なくとも１つのアップリンクＴＴＩを含むアップリンクＴＴＩとして専用である前記ＴＴＩの一部において前記ＳＲを周期的に送信するための周期的なＳＲモードを含む、請求項１に記載の方法。
【請求項６】
前記少なくとも１つのＳＲモードは、前記少なくとも１つのアップリンクＴＴＩを含む、アップリンクＴＴＩまたはダウンリンク／アップリンクＴＴＩとして構成可能な前記ＴＴＩの一部において前記ＳＲを送信するための日和見的なＳＲモードを含む、請求項１に記載の方法。
【請求項７】
前記ＴＴＩの前記一部の少なくとも１つにおいて、前記ＳＲの以前の送信をマスキングすることをさらに備え、ここにおいて、前記ＴＴＩの前記一部の前記少なくとも１つは、ダウンリンクＴＴＩとして構成され、前記ＳＲの前記以前の送信をマスキングすることは、前記ＴＴＩで前記ＳＲを送信することを控えること、別のＴＴＩで送信するために前記ＳＲを保留すること、および前記ＴＴＩで低いまたはＮＵＬＬ電力を有する前記ＳＲを送信することのうちの１つを含む、請求項６に記載の方法。
【請求項８】
前記ＳＲを送信することは、ある時間の期間内の、前記ＳＲの繰り返された送信を回避することを可能にするＳＲ禁止タイマに少なくとも部分的に基づく、請求項１に記載の方法。
【請求項９】
前記少なくとも１つのアップリンクＴＴＩにおいて、前記ＳＲとともに競合ベースのリソースバッファステータスを送信することをさらに備える、請求項１に記載の方法。
【請求項１０】
前記ＳＲは、前記ネットワークエンティティを用いて確立された複数のコンポーネントキャリアのうちの１つに対応する、請求項１に記載の方法。
【請求項１１】
前記ＴＴＩよりも長い持続時間の別のＴＴＩを利用する前記複数のコンポーネントキャリアのうちの別の１つに関連付けられた前記ネットワークエンティティに、別のＳＲを送信することをさらに備える、請求項１０に記載の方法。
【請求項１２】
前記複数のコンポーネントキャリアのうちの前記１つのための前記ＳＲを送信することは、前記複数のコンポーネントキャリアのうちの前記１つを介して送信されるデータについての１つ以上のレイテンシパラメータに少なくとも部分的に基づく、請求項１０に記載の方法。
【請求項１３】
ワイヤレスネットワークにおいてスケジューリングリクエスト（ＳＲ）を通信するためのユーザ機器であって、
アップリンクまたはダウンリンク通信のために動的に構成される送信時間間隔（ＴＴＩ）を含むフレーム構造を使用して、ネットワークエンティティと通信するための手段と、
１つ以上のＳＲモードを特定する前記ネットワークエンティティからの構成を受信するための手段と、
前記フレーム構造に少なくとも部分的に基づいて、アップリンク通信のために構成された前記ＴＴＩの１つ以上において、前記ネットワークエンティティへのＳＲ送信のために少なくとも１つのＳＲモードを選択するための手段、ここにおいて、前記少なくとも１つのＳＲモードは、周期的なＳＲモード、非周期的なＳＲモード、または日和見的なモードのうちの少なくとも１つであり、前記少なくとも１つのＳＲモードを選択するための手段は、前記構成に基づいて、前記１つ以上のＳＲモードから前記少なくとも１つのＳＲモードを選択するための手段を備える、と、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信するための手段と
を備える、ユーザ機器。
【請求項１４】
実行されたときに請求項１〜１２のいずれか一項に記載の方法をコンピュータに行わせる、コンピュータ実行可能なコードを備える、コンピュータ読取可能な記憶媒体。
【発明の詳細な説明】
【優先権の主張】
【０００１】
[0001]  本特許出願は、２０１４年１０月１３日付けで提出された「SCHEDULING REQUEST MODES FOR ENHANCED COMPONENT CARRIERS」と題された仮出願第６２／０６３，３０８号、および２０１５年９月８日付けで提出された「SCHEDULING REQUEST MODES FOR ENHANCED COMPONENT CARRIERS」と題された米国特許出願第１４／８４７，７３９号の優先権を主張し、これらの全体は参照によって本明細書に明示的に組み込まれている。
【背景技術】
【０００２】
[0002]  本明細書において、一般に、通信システムに関し、より具体的には、ワイヤレス通信システムにおいてユーザ機器によってスケジューリングリクエストを送信することに関する態様が説明される。
【０００３】
[0003]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることができる多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、都市レベル、国レベル、地域レベルだけでなく、世界的なレベルで、異なるワイヤレスデバイスが通信することを可能にする共通のプロトコルを提供するために、様々な電気通信規格で採用されている。電気通信規格の一例が、ロングタームエボリューション（ＬＴＥ（登録商標））である。ＬＴＥは、第３世代パートナーシッププロジェクト（３ＧＰＰ（登録商標））によって発表されたユニバーサルモバイル電気通信システム（ＵＭＴＳ）モバイル規格の拡張セットである。それは、スペクトル効率を改善することによってモバイルブロードバンドインターネットアクセスをより良くサポートし、コストを下げ、サービスを向上させ、新しいスペクトルを使用し、ダウンリンク（ＤＬ）上ではＯＦＤＭＡを、アップリンク（ＵＬ）上ではＳＣ−ＦＤＭＡを、および多入力多出力（ＭＩＭＯ）アンテナ技術を使用して、他のオープン規格とより良く統合するように設計されている。しかしながら、モバイルブロードバンドアクセスに対する需要が増大し続けるにつれて、ＬＴＥ技術におけるさらなる改良の必要性が存在する。これらの改良が、これらの技術を用いる他の多元接続技術および電気通信規格に適用可能であることが望ましい。
【０００５】
[0005]  ＬＴＥを用いるワイヤレス通信システムでは、特定のｅノードＢによってサービスされる複数のユーザ機器（ＵＥ）は、１つ以上のコンポーネントキャリア上に構成されるアップリンクチャネルを介してｅノードＢと通信するためのリソースをスケジューリングされ得る。これに関して、ＵＥは、ｅノードＢにスケジューリングリクエスト（ＳＲ）を通信し得、それは通常、予め構成されたリソースで発生し得る。低レイテンシの通信技術（lower latency communication technologies）が実装される際、その技術によってサポートされた通信レートを提供するようＵＥがリソースを要求することを可能にするために、ＬＴＥにおける予め構成されたＳＲリソースの周期性は、十分に頻繁ではない可能性がある。
【０００６】
[0006]  低レイテンシの通信技術が発展するにつれて、ＳＲを通信するための異なる設計が望まれ得る。
【発明の概要】
【０００７】
[0007]  下記は、１つ以上の態様の基本的理解を提供するために、このような態様の簡略化された概要を示す。この概要は、全ての意図された態様の広範な概要ではなく、全ての態様のキーとなる要素または重要な要素を指定することも、任意の態様または全ての態様の範囲を示すことも意図しない。その唯一の目的は、後に提示されるより詳細な説明への前置きとして、簡潔化された形態で、１つ以上の態様のうちのいくつかの概念を提示することである。
【０００８】
[0008]  一例によると、ワイヤレスネットワークにおいてスケジューリングリクエスト（ＳＲ）を通信するための方法が提供される。方法は、アップリンクおよびダウンリンク通信間の送信時間間隔（ＴＴＩ）の動的切り替えを可能にするフレーム構造を使用して、ネットワークエンティティと通信することと、フレーム構造に少なくとも部分的に基づいて、アップリンク通信のために構成されたＴＴＩの１つ以上において、ネットワークエンティティへのＳＲ送信のために少なくとも１つのＳＲモードを選択することと、少なくとも１つのＳＲモードに少なくとも部分的に基づいて、アップリンク通信のために構成された１つ以上のＴＴＩのうちの少なくとも１つのアップリンクＴＴＩにおいて、ネットワークエンティティにＳＲを送信することと、を含む。
【０００９】
[0009]  他の態様では、ワイヤレスネットワークにおいてＳＲを通信するためのユーザ機器が提供される。ユーザ機器は、トランシーバと、ワイヤレスネットワークにおいて、信号を通信するためのバスを介してトランシーバと通信可能に結合された少なくとも１つのプロセッサと、バスを介して、少なくとも１つのプロセッサおよび／またはトランシーバと通信可能に結合されたメモリと、を含む。少なくとも１つのプロセッサおよびメモリは、トランシーバを介して、アップリンクおよびダウンリンク通信間のＴＴＩの動的切り替えを可能にするフレーム構造を使用して、ネットワークエンティティと通信することと、フレーム構造に少なくとも部分的に基づいて、アップリンク通信のために構成されたＴＴＩの１つ以上において、ネットワークエンティティへのＳＲ送信のために少なくとも１つのＳＲモードを選択することと、トランシーバを介して、少なくとも１つのＳＲモードに少なくとも部分的に基づいて、アップリンク通信のために構成された１つ以上のＴＴＩのうちの少なくとも１つのアップリンクＴＴＩにおいて、ネットワークエンティティにＳＲを送信することと、を行うように動作可能である。
【００１０】
[0010]  別の例では、ワイヤレスネットワークにおいてＳＲを通信するためのユーザ機器が提供される。ユーザ機器は、アップリンクおよびダウンリンク通信間のＴＴＩの動的切り替えを可能にするフレーム構造を使用して、ネットワークエンティティと通信するための手段と、フレーム構造に少なくとも部分的に基づいて、アップリンク通信のために構成されたＴＴＩの１つ以上において、ネットワークエンティティへのＳＲ送信のために少なくとも１つのＳＲモードを選択するための手段と、少なくとも１つのＳＲモードに少なくとも部分的に基づいて、アップリンク通信のために構成された１つ以上のＴＴＩのうちの少なくとも１つのアップリンクＴＴＩにおいて、ネットワークエンティティにＳＲを送信するための手段と、を含む。
【００１１】
[0011]  他の態様では、ワイヤレスネットワークにおいてＳＲを通信するためのコンピュータ実行可能なコードを備える、コンピュータ読取可能な記憶媒体が提供される。コードは、アップリンクおよびダウンリンク通信間のＴＴＩの動的切り替えを可能にするフレーム構造を使用して、ネットワークエンティティと通信するためのコードと、フレーム構造に少なくとも部分的に基づいて、アップリンク通信のために構成されたＴＴＩの１つ以上において、ネットワークエンティティへのＳＲ送信のために少なくとも１つのＳＲモードを選択するためのコードと、少なくとも１つのＳＲモードに少なくとも部分的に基づいて、アップリンク通信のために構成された１つ以上のＴＴＩのうちの少なくとも１つのアップリンクＴＴＩにおいて、ネットワークエンティティにＳＲを送信するためのコードと、を含む。
【００１２】
[0012]  前述した目的および関連する目的を達成するために、１つ以上の態様は、下記に十分に説明される、および請求項において具体的に示される特徴を備える。下記の説明および添付された図面は、１つ以上の態様のある特定の例示的な特徴を詳細に記載する。しかしながら、これらの特徴は、様々な態様の原理が用いられ得る様々な方法のうちのごく一部を示すものであり、本説明は、全てのこのような態様およびそれらの同等物を含むことが意図される。
【図面の簡単な説明】
【００１３】
【図１】[0013]  図１は、本明細書で説明される態様に従った、電気通信システムの例を概念的に例示するブロック図を示す。
【図２】[0014]  図２は、アクセスネットワークの例を例示する図である。
【図３】[0015]  図３は、ロングタームエボリューション（ＬＴＥ）におけるダウンリンク（ＤＬ）フレーム構造の例を例示する図である。
【図４】[0016]  図４は、ＬＴＥにおけるアップリンク（ＵＬ）フレーム構造の例を例示する図である。
【図５】[0017]  図５は、ユーザおよび制御プレーンのための無線プロトコルアーキテクチャの例を例示する図である。
【図６】[0018]  図６は、アクセスネットワークにおける発展型ノードＢおよびユーザ機器の例を例示する図である。
【図７】[0019]  図７は、アップリンクまたはダウンリンク通信のために構成される送信時間間隔（ＴＴＩ）の動的切り替えを可能にするためのフレーム構造の例を例示する図である。
【図８】[0020]  図８は、本明細書で説明される態様に従った、アップリンクおよびダウンリンク通信間のＴＴＩの動的切り替えを可能にするフレーム構造に関連付けられたスケジューリングリクエスト（ＳＲ）を通信するためのシステムの例を例示する図である。
【図９】[0021]  図９は、アップリンクおよびダウンリンク通信間のＴＴＩを動的に切り替えることを可能にするフレーム構造に関連付けられたＳＲを送信する方法の例のフローチャートである。
【図１０】[0022]  図１０は、アップリンクおよびダウンリンク通信間のＴＴＩを動的に切り替えることを可能にするフレーム構造に関連付けられたＳＲを受信する方法の例のフローチャートである。
【詳細な説明】
【００１４】
[0023]  添付の図面に関連して下記で説明される詳細な説明は、様々な構成の説明を意図したものであり、本明細書で説明される概念が実現され得る唯一の構成を表すことを意図したものではない。詳細な説明は、様々な概念の完全な理解を提供することを目的とした特定の詳細を含む。しかしながら、これらの概念がこれらの特定の詳細がなくとも実施され得ることは、当業者にとって明らかだろう。いくつかの例では、そのような概念を曖昧にすることを避けるために、周知の構造およびコンポーネントがブロック図形式で示される。
【００１５】
[0024]  ここで、電気通信システムのいくつかの態様が、様々な装置および方法に関連して示される。これらの装置および方法は、後に続く詳細な説明内において説明され、添付の図面において、様々なブロック、モジュール、コンポーネント、回路、ステップ、処理、アルゴリズムなど（集合的に「要素」と呼ばれる）によって例示される。これらの要素は、電子ハードウェア、コンピュータソフトウェア、またはそれらの任意の組み合わせを使用して実装され得る。このような要素がハードウェアとして実装されるか、またはソフトウェアとして実装されるかは、特定のアプリケーションおよびシステム全体上に課せられる設計制約に依存する。
【００１６】
[0025]例として、要素、または要素の任意の一部、あるいは要素の任意の組み合わせは、１つ以上のプロセッサを含む「処理システム」を用いて実装され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、および本開示全体を通して説明される様々な機能を行うように構成される他の適切なハードウェアを含む。処理システム内の１つ以上のプロセッサは、ソフトウェアを実行し得る。ソフトウェアは、ソフトウェア、ファームウェア、ミドルウェア、マイクロコード、ハードウェア記述言語で呼ばれようと、またはその他のもので呼ばれようと、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されるものとする。
【００１７】
[0026]  従って、１つ以上の態様において、説明された機能は、ハードウェア、ソフトウェア、ファームウェア、またはそれらの任意の組み合わせにおいて実装され得る。ソフトウェア内で実装される場合、機能は、コンピュータ読取可能な媒体上で１つ以上の命令またはコードとして記憶または符号化され得る。コンピュータ読取可能な媒体は、コンピュータ記憶媒体を含む。記憶媒体は、コンピュータによってアクセスされ得る任意の利用可能な媒体であり得る。限定はしないが、例として、そのようなコンピュータ読取可能な媒体は、ＲＡＭ、ＲＯＭ、ＥＥＰＲＯＭ（登録商標）、ＣＤ−ＲＯＭまたは他の光学ディスク記憶装置、磁気ディスク記憶装置、または他の磁気記憶デバイス、あるいは命令またはデータ構造の形で望ましいプログラムコードを搬送または記憶するために使用され、コンピュータによってアクセスされ得る任意の他の媒体を備え得る。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、およびフロッピー（登録商標）ディスクを含み、ここで、ディスク（disks）が通常磁気的にデータを再生する一方、ディスク（discs）は、レーザーを用いて光学的にデータを再生する。上記の組み合わせはまた、コンピュータ読取可能な媒体の範囲内に含まれるべきである。
【００１８】
[0027]  低レイテンシ通信構成でスケジューリングリクエスト（ＳＲ）を通信することに関連付けられる様々な態様が、本明細書で説明される。例えば、低レイテンシ通信構成は、現在のワイヤレス通信技術よりもより低いレイテンシを有する任意の構成（例えば、ＬＴＥの１ミリ秒ＴＴＩとは対照的に、１サブフレームＴＴＩを有する超低レイテンシ（ＵＬＬ：ultra low latency）ＬＴＥ）を実質的に含み得る。具体的には、ワイヤレスネットワーク通信は、低レイテンシを得るために必要とされるアップリンクおよび／またはダウンリンクリソースをスケジューリングする機会を提供するために、アップリンクおよびダウンリンクの送信時間間隔（ＴＴＩ）間を動的に切り替えることを容易にする時分割複信（ＴＤＤ）フレーム構造をサポートし得る。１つ以上のＳＲモードは、フレーム構造内のアップリンク通信についてスケジューリングされたＴＴＩ上のＳＲリソースを構成する周期的なＳＲモード、場合によっては他のスケジューリングされたアップリンク送信と多重化される可能性のあるＳＲリソースを構成する非周期的なＳＲモード、および／またはダウンリンクＴＴＩ上で予期せず構成されるＳＲがマスキングされることができるように、ＴＴＩを介してＳＲリソースを周期的に構成する日和見的な（opportunistic）モードを含む、ＴＤＤフレーム構造に従ってＳＲを送信することについてサポートされ得る。従って、ＳＲモードのうちの１つ以上を使用することは、ユーザ機器（ＵＥ）のために構成される、より頻繁なＳＲ機会を可能にし得、それは、低レイテンシ通信でＳＲを送信することを容易にし得る。低レイテンシ通信構成に関して示され説明されているが、本明細書で説明される機能がＬＴＥのような現在のワイヤレス通信技術にも適用され得ることが理解されるだろう。
【００１９】
[0028]  最初に図１を参照すると、図は、本明細書で説明される態様に従った、ワイヤレス通信システム１００の例を例示する。ワイヤレス通信システム１００は、複数のアクセスポイント（例えば、基地局、ｅＮＢ、またはＷＬＡＮアクセスポイント）１０５、多数のユーザ機器（ＵＥ）１１５、およびコアネットワーク１３０を含む。アクセスポイント１０５は、例えば、限定はされないが、低レイテンシ通信のために構成されるフレーム構造７００、７５０（図７）のようなフレーム構造に基づいて、ＵＥ １１５にリソース許可（例えば、制御および／またはデータアップリンク通信のための）を通信するように構成されたスケジューリングコンポーネント６０２を含み得る。同様に、ＵＥ １１５のうちの１つ以上は、（例えば、アクセスポイント１０５から受信されたリソース許可に基づいて）フレーム構造を使用して、受信、復号、送信、および動作するように構成された通信コンポーネント６６１を含み得る。
【００２０】
[0029]  アクセスポイント１０５のうちのいくつかは、基地局コントローラ（図示されない）の制御下で、ＵＥ １１５と通信し得、それは、様々な例において、コアネットワーク１３０または特定のアクセスポイント１０５（例えば、基地局またはｅＮＢ）の一部であり得る。アクセスポイント１０５は、バックホールリンク１３２を通して、制御情報および／またはユーザデータをコアネットワーク１３０と通信し得る。例では、アクセスポイント１０５は、直接的または間接的に、バックホールリンク１３４を介して互いに通信し得、それは、有線またはワイヤレス通信リンクであり得る。ワイヤレス通信システム１００は、複数のキャリア（異なる周波数の波形信号）上の動作をサポートし得る。マルチキャリア送信機は、変調された信号を複数のキャリア上で同時に送信し得る。例えば、各通信リンク１２５は、上述された様々な無線技術に従って変調されたマルチキャリア信号であり得る。各変調された信号は、異なるキャリアで送られ、制御情報（例えば、基準信号、制御チャネルなど）、オーバーヘッド情報、データなどを搬送し得る。
【００２１】
[0030]  これに関し、ＵＥ １１５は、（例えば、１つのアクセスポイント１０５を用いた）キャリアアグリゲーション（ＣＡ）および／または（例えば、複数のアクセスポイント１０５を用いた）複数の接続を使用して、複数のキャリアを介して１つ以上のアクセスポイント１０５と通信するように構成され得る。いずれの場合も、ＵＥ １１５は、ＵＥ １１５とアクセスポイント１０５との間のアップリンクおよびダウンリンク通信をサポートするように構成された、少なくとも１つの１次セル（ＰＣｅｌｌ：primary cell）を用いて構成され得る。ＵＥ １１５と所与のアクセスポイント１０５との間の通信リンク１２５ごとにＰＣｅｌｌが存在し得ることが理解されるだろう。加えて、通信リンク１２５の各々は、アップリンクおよび／またはダウンリンク通信も同様にサポートし得る、１つ以上の２次セル（ＳＣｅｌｌ：secondary cells）を有し得る。いくつかの例では、ＰＣｅｌｌは、少なくとも１つの制御チャネルを通信するために使用され、ＳＣｅｌｌは、データチャネルを通信するために使用され得る。一例では、ＰＣｅｌｌおよび／またはＳＣｅｌｌは、本明細書でさらに説明されるように、（例えば、図７のフレーム構造７００、７５０、または低レイテンシＴＴＩを用いた類似するフレーム構造を使用して）低レイテンシ通信を提供する１つ以上の強化されたコンポーネントキャリア（ｅＣＣ）を構成し得る。
【００２２】
[0031]  いくつかの例では、ワイヤレス通信システム１００の少なくとも一部分は、ＵＥ １１５の１つ以上とアクセスポイント１０５の１つ以上とが、別の階層レイヤに関する低減されたレイテンシを有する階層レイヤ上の送信をサポートするように構成され得る複数の階層レイヤ上で動作するように構成され得る。いくつかの例では、ハイブリッドＵＥ １１５−ａは、第１のサブフレームタイプを用いて第１のレイヤ送信をサポートする第１の階層レイヤと、第２のサブフレームタイプを用いて第２のレイヤ送信をサポートする第２の階層レイヤとの両方で、アクセスポイント１０５−ａと通信し得る。例えば、アクセスポイント１０５−ａは、第１のサブフレームタイプのサブフレームを用いた時分割複信である、第２のサブフレームタイプのサブフレームを送信し得る。
【００２３】
[0032]  いくつかの例では、ハイブリッドＵＥ １１５−ａは、例えば、ＨＡＲＱスキームを通じて、送信のための肯定応答（ＡＣＫ）／否定応答（ＮＡＣＫ）を提供することによって、送信の受信を承認（acknowledge）し得る。第１の階層レイヤにおける送信のためのハイブリッドＵＥ１１５−ａからの肯定応答は、いくつかの例では、送信が受信されるサブフレームに続く予め定義された数のサブフレームの後に提供され得る。第２の階層レイヤで動作するとき、ハイブリッドＵＥ １１５−ａは、ある例では、送信が受信されるサブフレームと同じサブフレーム内で受信を承認し得る。ＡＣＫ／ＮＡＣＫを送信し再送信を受信することを要求される時間はラウンドトリップタイム（ＲＴＴ）と呼ばれ、第２のサブフレームタイプのサブフレームは、第１のサブフレームタイプのサブフレームについてのＲＴＴよりも短い第２のＲＴＴを有し得る。
【００２４】
[0033]  他の例では、第２のレイヤＵＥ １１５−ｂは、第２の階層レイヤ上でのみアクセスポイント１０５−ｂと通信し得る。よって、ハイブリッドＵＥ １１５−ａおよび第２のレイヤＵＥ １１５−ｂが、第２の階層レイヤ上で通信し得るＵＥ １１５の第２のクラスに所属し得る一方、従来のＵＥ １１５は、第１の階層レイヤ上でのみ通信し得るＵＥ １１５の第１のクラスに所属し得る。アクセスポイント１０５−ｂおよびＵＥ １１５−ｂは、第２のサブフレームタイプのサブフレームの送信を通じて、第２の階層レイヤ上で通信し得る。アクセスポイント１０５−ｂは、第２のサブフレームタイプのサブフレームだけを送信し得るか、あるいは、第２のサブフレームタイプのサブフレームと時分割多重化される第１の階層レイヤ上で、第１のサブフレームタイプの１つ以上のサブフレームを送信し得る。第２のレイヤＵＥ １１５−ｂは、アクセスポイント１０５−ｂが第１のサブフレームタイプのサブフレームを送信する場合、第１のサブフレームタイプのこのようなサブフレームを無視し得る。よって、第２のレイヤＵＥ １１５−ｂは、送信が受信されるサブフレームと同じサブフレーム内の送信の受信を承認し得る。よって、第２のレイヤＵＥ １１５−ｂは、第１の階層レイヤ上で動作するＵＥ １１５と比較して、低減されたレイテンシを用いて動作し得る。
【００２５】
[0034]  アクセスポイント１０５は、１つ以上のアクセスポイントアンテナを介してＵＥ １１５とワイヤレスに通信し得る。アクセスポイント１０５側の各々は、それぞれのカバレッジエリア１１０のための通信カバレッジを提供し得る。いくつかの例では、アクセスポイント１０５は、ベーストランシーバ局、無線基地局、無線トランシーバ、基本サービスセット（ＢＳＳ）、拡張型サービスセット（ＥＳＳ）、ノードＢ、ｅノードＢ、ホームノードＢ、ホームｅノードＢ、またはいくつかの他の適切な技術用語で呼ばれ得る。基地についてのカバレッジエリア１１０は、カバレッジエリアの一部のみを構成するセクタ（図示されない）に分割され得る。ワイヤレス通信システム１００は、異なるタイプのアクセスポイント１０５（例えば、マクロ、マイクロ、および／またはピコ基地局）を含み得る。アクセスポイント１０５はまた、セルラおよび／またはＷＬＡＮ無線アクセス技術（ＲＡＴ）のような異なる無線技術を利用し得る。アクセスポイント１０５は、同じまたは異なるアクセスネットワークあるいはオペレータ配置に関連付けられ得る。同じまたは異なるタイプのアクセスポイント１０５のカバレッジエリアを含み、同じまたは異なる無線技術を利用し、および／または、同じまたは異なるアクセスネットワークに属する異なるアクセスポイント１０５のカバレッジエリアは、オーバーラップし得る。
【００２６】
[0035]  ＬＴＥ／ＬＴＥ−Ａネットワーク通信システムでは、発展型ノードＢ（ｅノードＢまたはｅＮＢ）という用語は、一般に、アクセスポイントを説明するために使用され得る。ワイヤレス通信システム１００は、異なるタイプのアクセスポイントが様々な地理的領域にカバレッジを提供する異種ＬＴＥ／ＬＴＥ−Ａネットワークであり得る。例えば、各アクセスポイント１０５は、マクロセル、ピコセル、フェムトセル、および／または他のタイプのセルのための通信カバレッジを提供し得る。ピコセル、フェムトセルのような小さなセル、および／または他のタイプのセルは、低電力ノードすなわちＬＰＮを含み得る。マクロセルは一般に、比較的大きい地理的エリア（例えば、半径数キロメートル）をカバーし、ネットワークプロバイダとのサービスに加入しているＵＥ １１５による無制限のアクセスを可能にし得る。スモールセルは、一般に、相対的に小さい地理的エリアをカバーし、ネットワークプロバイダとのサービスに加入しているＵＥ １１５による無制限アクセスを可能にし、無制限アクセスに加えて、例えば、スモールセル（例えば、クローズド加入者グループ（ＣＳＧ）内のＵＥ、家庭でのユーザのためのＵＥなど）との関連を有するＵＥ １１５による制限アクセスもまた提供し得る。マクロセルのためのｅＮＢは、マクロｅＮＢと呼ばれ得る。スモールセルのためのｅＮＢは、スモールｅＮＢと呼ばれ得る。ｅＮＢは、１または複数（例えば、２、３、４個など）のセルをサポートし得る。
【００２７】
[0036]  コアネットワーク１３０は、バックホールリンク１３２（例えば、Ｓ１インターフェースなど）を介してｅＮＢまたは他のアクセスポイント１０５と通信し得る。アクセスポイント１０５はまた、例えば、直接的にまたは間接的にバックホールリンク１３４（例えば、Ｘ２インターフェースなど）を介しておよび／またはバックホールリンク１３２（例えば、コアネットワーク１３０を通る）を介して互いと通信し得る。ワイヤレス通信システム１００は、同期または非同期動作をサポートし得る。同期動作について、アクセスポイント１０５は、類似したフレームタイミングを有し、異なるアクセスポイント１０５からの送信は、時間的におおまかにアラインされ得る。非同期動作について、アクセスポイント１０５は、異なるフレームタイミングを有し、異なるアクセスポイント１０５からの送信は時間的にアラインされない可能性がある。さらに、第１の階層レイヤおよび第２の階層レイヤ内の送信は、アクセスポイント１０５間で同期され得るか、または同期されない可能性がある。本明細書で説明される技法は、同期または非同期動作のいずれかのために使用され得る。
【００２８】
[0037]  ＵＥ １1５は、ワイヤレスシステム１００全体に分散され、各ＵＥ １１５は、固定またはモバイルであり得る。ＵＥ １１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で呼ばれ得る。ＵＥ １１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計またはメガネのようなウェアラブルアイテム、ワイヤレスローカルループ（ＷＬＬ）局などであり得る。ＵＥ １１５は、マクロｅノードＢ、スモールセルｅノードＢ、中継器などと通信可能であり得る。ＵＥ １１５はまた、セルラ、あるいは他のＷＷＡＮアクセスネットワークまたはＷＬＡＮアクセスネットワークのような異なるアクセスネットワーク上で通信可能であり得る。
【００２９】
[0038]  ワイヤレス通信システム１００で示される通信リンク１２５は、ＵＥ １１５からアクセスポイント１０５へのアップリンク（ＵＬ）送信、および／またはアクセスポイント１０５からＵＥ １１５へのダウンリンク（ＤＬ）送信を含み得る。ダウンリンク送信が順方向リンク送信と呼ばれ得る一方、アップリンク送信は、逆方向リンク送信とも呼ばれ得る。通信リンク１１５は、いくつかの例では、通信リンク１２５において多重化され得る各階層レイヤの送信を搬送し得る。ＵＥ １１５は、例えば、他入力多出力（ＭＩＭＯ）、キャリアアグリゲーション（ＣＡ）、協調マルチポイント（ＣｏＭＰ：Coordinated Multi-Point）、複数の接続（例えば、１つ以上のアクセスポイント１０５の各々とのＣＡ）または他のスキームを通じて、複数のアクセスポイント１０５と協調して通信するように構成され得る。ＭＩＭＯ技法は、複数のデータストリームを送信するために、アクセスポイント１０５のおよび／またはＵＥ １１５の複数のアンテナを使用する。キャリアアグリゲーションは、データ送信のために、同じまたは異なるサービングセル上の２つ以上のコンポーネントキャリアを利用し得る。ＣｏＭＰは、増加しているネットワークおよびスペクトル利用と同様に、ＵＥ １１５についての送信品質全体を改善するために、多数のアクセスポイント１０５による送信および受信の協調のための技法を含み得る。
【００３０】
[0039]  上述されるように、アクセスポイント１０５およびＵＥ １１５のいくつかの例では、複数のキャリア上で送信するために、キャリアアグリゲーションを利用し得る。いくつかの例では、アクセスポイント１０５およびＵＥ １１５は、フレーム内の第１の階層レイヤにおいて、２つ以上の別個のキャリアを使用して、第１のサブフレームタイプを各々有する１つ以上のサブフレームを同時に送信し得る。各キャリアは、例えば、２０ＭＨｚの帯域幅を有し得るが、他の帯域幅が利用され得る。ハイブリッドＵＥ １１５−ａおよび／または第２のレイヤＵＥ １１５−ｂは、ある特定の例では、別個のキャリアのうちの１つ以上の帯域幅よりも広い帯域幅を有する単一のキャリアを利用して、第２の階層レイヤ内の１つ以上のサブフレームを受信および／または送信し得る。例えば、４つの別個の２０ＭＨｚキャリアが第１のレイヤにおいてキャリアアグリゲーションスキームで使用される場合、単一の８０ＭＨｚキャリアは、第２の階層レイヤで使用され得る。８０ＭＨｚキャリアは、４つの２０ＭＨｚキャリアのうちの１つ以上によって使用される無線周波数スペクトルと少なくとも部分的にオーバーラップする無線周波数スペクトルの一部を占有し得る。いくつかの例では、第２の階層レイヤタイプのためのスケーラブルな帯域幅（scalable bandwidth）は、さらに強化されたデータレートを提供するために、上記のようなより短いＲＴＴを提供するための技法を組み合わせられ得る。
【００３１】
[0040]  ワイヤレス通信システム１００で用いられ得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。例えば、第２の階層レイヤがＴＤＤに従って動作し得る一方、第１の階層レイヤは、ＦＤＤに従って動作し得る。いくつかの例では、シングルキャリア周波数分割多重接続（ＳＣ−ＦＤＭＡ）通信信号が各階層レイヤ内でＬＴＥアップリンク送信についての通信リンク１２５で使用される一方、ＯＦＤＭＡ通信信号は、各階層レイヤのためのＬＴＥダウンリンク送信についての通信リンク１２５で使用され得る。このようなシステム内の通信に関連付けられた他の特徴および機能と同様に、ワイヤレス通信システム１００のようなシステム内の階層レイヤの実装に関するさらなる詳細が、添付の図面を参照して下記で提供される。
【００３２】
[0041]  図２は、ＬＴＥネットワークアーキテクチャにおけるアクセスネットワーク２００の例を例示する図である。この例では、アクセスネットワーク２００は、多数のセルラ領域（セル）２０２に分割されている。１つ以上の低電力クラスのｅＮＢ ２０８は、セル２０２のうちの１つ以上とオーバーラップするセルラ領域２１０を有し得る。低電力クラスのｅＮＢ ２０８は、フェムトセル（例えば、ホームｅＮＢ（ＨｅＮＢ））、ピコセル、マイクロセル、または遠隔無線ヘッド（ＲＲＨ）であり得る。マクロｅＮＢ ２０４は、それぞれのセル２０２に各々割り当てられ、セル２０２内の全てのＵＥ ２０６に対して、コアネットワーク１３０へのアクセスポイントを提供するように構成される。一態様では、ｅＮＢ２０４は、例えば、限定はされないが、低レイテンシ通信のために構成された、フレーム構造７００、７５０（図７）のようなフレーム構造に基づいて、リソース許可をＵＥ ２０６に通信するように構成されたスケジューリングコンポーネント６０２を含み得る。同様に、ＵＥ ２０６のうちの１つ以上は、（例えば、アクセスポイント１０５から受信されたリソース許可に基づいて）フレーム構造を使用して、受信、復号、送信、および動作するように構成された通信コンポーネント６６１を含み得る。アクセスネットワーク２００のこの例に示された集中型（centralized）コントローラは存在しないが、代替の構成では、集中型コントローラが使用され得る。ｅＮＢ ２０４は、無線ベアラ制御、アドミッション制御、モビリティ制御、スケジューリング、セキュリティ、およびサービングゲートウェイ１１６（図示されない）への接続を含む、全ての無線に関連する機能を担う。
【００３３】
[0042]  アクセスネットワーク２００によって用いられる変調および多元接続スキームは、展開されている特定の電気通信規格に依存して異なり得る。ＬＴＥアプリケーションでは、周波数分割複信（ＦＤＤ）および時分割複信（ＴＤＤ）の両方をサポートするように、ＯＦＤＭはＤＬ上で使用され得、ＳＣ−ＦＤＭＡはＵＬで使用され得る。下記の詳細な説明から当業者が容易に理解するように、本明細書で示される様々な概念は、ＬＴＥアプリケーションに十分適している。しかしながら、これらの概念は、他の変調及び多元接続技法を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリの一部として、第３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他のバリエーションを用いるユニバーサル地上無線アクセス（ＵＴＲＡ）、ＴＤＭＡを用いるモバイル通信のためのグローバルシステム（ＧＳＭ（登録商標））、および発展型ＵＴＲＡ（Ｅ−ＵＴＲＡ）、ＩＥＥＥ８０２. １１（Ｗｉ−Ｆｉ（登録商標））、ＩＥＥＥ８０２. １６（ＷｉＭＡＸ（登録商標））、ＩＥＥＥ８０２. ２０、およびＯＦＤＭＡを用いるフラッシュＯＦＤＭに拡張され得る。ＵＴＲＡ、Ｅ−ＵＴＲＡ、ＵＭＴＳ、ＬＴＥ、およびＧＳＭは、３ＧＰＰの組織からの文書で説明されている。ＣＤＭＡ２０００およびＵＭＢは、３ＧＰＰ２の組織からの文書で説明されている。用いられる実際のワイヤレス通信規格および多元接続技術は、特定の用途およびシステムに課せられる全体的な設計制約に依存するだろう。
【００３４】
[0043]  ｅＮＢ ２０４は、ＭＩＭＯ技術をサポートする複数のアンテナを有し得る。ＭＩＭＯ技術の使用は、ｅＮＢ ２０４が空間多重、ビームフォーミング、および送信ダイバーシティをサポートするために空間領域を利用することを可能にする。空間多重化は、同じ周波数上で同時に異なるストリームのデータを送信するために使用され得る。それらのデータストリームは、データレートを増加させるために単一のＵＥ ２０６に、または全体的なシステム容量を増加させるために複数のＵＥ ２０６に送信され得る。これは、各データストリームを空間的にプリコーディングし（すなわち、振幅および位相のスケーリングを適用し）、次に、ＤＬ上で複数の送信アンテナを通して、各空間的にプリコーディングされたストリームを送信することによって達成される。空間的にプリコーディングされたデータストリームは、異なる空間シグネチャとともにＵＥ ２０６に到達し、それは、ＵＥ ２０６の各々が、そのＵＥ ２０６を宛先とする１つ以上のデータストリームを復元することを可能にする。ＵＬでは、各ＵＥ ２０６は、空間的にプリコーディングされたデータストリームを送信し、それは、ｅＮＢ２０４に、各空間的にプリコーティングされたデータストリームのソースを識別することを可能にする。
【００３５】
[0044]  空間多重化は、一般に、チャネル状態が良好な場合に使用される。チャネル状態があまり良好でないときは、１つ以上の方向に送信エネルギーを集中させるために、ビームフォーミングが使用され得る。これは、複数のアンテナを通じて送信するためのデータを空間的にプリコーディングすることによって達成され得る。セルのエッジにおいて良好なカバレッジを達成するために、単一ストリームのビームフォーミング送信が、送信ダイバーシティとの組み合わせで使用され得る。
【００３６】
[0045]  下記の詳細な説明において、アクセスネットワークの様々な態様が、ＤＬ上でＯＦＤＭをサポートするＭＩＭＯシステムに関連して説明される。ＯＦＤＭは、ＯＦＤＭシンボル内の多数のサブキャリアにわたってデータを変調するスペクトル拡散技法である。これらサブキャリアは、正確な周波数で間隔をあけられている。この間隔をあけること（spacing）は、受信機がこれらサブキャリアからのデータを復元することを可能にする「直交性」を提供する。時間領域では、ＯＦＤＭシンボル間干渉に対抗するために、ガードインターバル（例えば、サイクリックプリフィックス）が各ＯＦＤＭシンボルに追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００３７】
[0046]  図３は、ＬＴＥにおけるＤＬフレーム構造の例を例示する図３００である。フレーム（１０ｍｓ）は、１０の等しいサイズのサブフレームに分割され得る。各サブフレームは、２つの連続するタイムスロットを含み得る。リソースグリッドは、２つのタイムスロットを表すために使用され得、各タイムスロットは、リソース要素ブロックを含む。リソースグリッドは、複数のリソース要素に分割される。ＬＴＥでは、リソース要素ブロックは、周波数領域内の１２の連続するサブキャリアを含み、各ＯＦＤＭシンボル内の通常のサイクリックプリフィクスでは、時間領域内の７つの連続するＯＦＤＭシンボルを含み得、すなわち、８４のリソース要素を含む。拡張されたサイクリックプリフィックスについて、リソース要素ブロックは、時間領域内の６つの連続するＯＦＤＭシンボルを含み、７２のリソース要素を有し得る。リソースエレメントのうちのいくつかは、Ｒ ３０２、３０４として示されるような、ＤＬ基準信号（ＤＬ−ＲＳ）を含む。ＤＬ−ＲＳは、セル固有ＲＳ（ＣＲＳ）（共通ＲＳと呼ばれることもある）３０２およびＵＥ固有のＲＳ（ＵＥ−ＲＳ）３０４を含む。ＵＥ−ＲＳ３０４は、対応するＰＤＳＣＨがマッピングされるリソース要素ブロック上でのみ送信される。各リソース要素によって搬送されるビット数は、変調スキームに依存する。そのため、ＵＥが受信するリソースブロックが多いほど、また変調スキームが高度であるほど、そのＵＥのためのデータレートは高くなる。一例では、図７のフレーム構造７００、７５０のような低レイテンシ通信構成（例えば、ＵＬＬ ＬＴＥ）では、各ＯＦＤＭＡシンボルは、ＴＴＩであり得、および／またはＯＦＤＭＡシンボル内の周波数の異なる構成および時間リソースを含み得る。低レイテンシ通信構成のＴＴＩは、１つのＯＦＤＭＡシンボル、スロットなどよりも長い可能性があり、それは、持続時間内のサブフレームよりも短いことが理解されるだろう。
【００３８】
[0047]  図４は、ＬＴＥにおけるＵＬフレーム構造の例を例示する図４００であり、それは、いくつかの例では、本明細書で説明されるＵＬＬ ＬＴＥ ＵＬフレーム構造と関連して利用され得る。ＵＬのために利用可能なリソースブロックは、データ部と制御部とに分割され得る。制御部は、システム帯域幅の両端に形成され、設定可能なサイズを有し得る。制御部内のリソース要素ブロックは、制御情報の送信のためにＵＥに割り当てられ得る。データ部は、制御部に含まれない全てのリソース要素ブロックを含み得る。ＵＬフレーム構造は、連続したサブキャリアを含むデータ部に帰着し、それは、単一のＵＥに、データ部内の全ての連続したサブキャリアを割り当てられることを可能にし得る。
【００３９】
[0048]  ＵＥは、ｅＮＢに制御情報を送信するために、制御部内のリソース要素ブロック４１０ａ、４１０ｂを割り当てられ得る。このＵＥはまた、ｅＮＢにデータを送信するために、データ部におけるリソース要素ブロック４２０ａ、４２０ｂを割り当てられ得る。ＵＥは、制御部内の割り当てられたリソース要素ブロック上の物理ＵＬ制御チャネル（ＰＵＣＣＨ）において、制御情報を送信し得る。ＵＥは、データ部内の割り当てられたリソース要素ブロック上の物理ＵＬ共有チャネル（ＰＵＳＣＨ）において、データのみを、またはデータと制御情報の両方を送信し得る。ＵＬ送信は、サブフレームの両方のスロットにまたがり、周波数間でホッピングし得る。
【００４０】
[0049]  リソース要素ブロックのセットは、物理ランダムアクセスチャネル（ＰＲＡＣＨ）４３０内で、初期システムアクセスを行い、ＵＬ同期を達成するために使用され得る。ＰＲＡＣＨ ４３０は、ランダムシーケンスを搬送し、任意のＵＬデータ／シグナリングを搬送しない可能性がある。各ランダムアクセスプリアンブルは、６つの連続したリソースブロックに対応する帯域幅を占有する。開始周波数は、ネットワークによって特定される。すなわち、ランダムアクセスプリアンブルの送信は、ある特定の時間および周波数リソースに限定される。ＰＲＡＣＨのための周波数ホッピングは存在しない。ＰＲＡＣＨ試行は、単一のサブフレーム（１ｍｓ）中、または少数の隣接するサブフレームのシーケンス中で搬送され、ＵＥは、フレーム（１０ｍｓ）ごとに単一のＰＲＡＣＨ試行のみを行い得る。一例では、図７のフレーム構造７００、７５０のようなより低レイテンシ通信構成（例えば、ＵＬＬ ＬＴＥ）において、各スロットは１つ以上のシンボルを含み得、各シンボルはＴＴＩであり得、および／またはシンボル内の時間リソースおよび周波数の異なる構成を含み得る。低レイテンシ通信構成のＴＴＩは、１つのシンボル、スロットなどよりも長い可能性があり、そらは、持続時間内のサブフレームよりも短いことが理解されるだろう。
【００４１】
[0050]  図５は、ＬＴＥおよびＵＬＬ ＬＴＥにおけるユーザおよび制御プレーンのための無線プロトコルアーキテクチャの例を例示する図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実装する。Ｌ１レイヤは、本明細書では物理レイヤ５０６と呼ばれ得る。レイヤ２（Ｌ２レイヤ）５０８は、物理レイヤ５０６より上位にあり、物理レイヤ５０６上でＵＥとｅＮＢとの間のリンクを担う。例えば、本明細書で説明されるようなＳＲ通信は、ＵＥ １１５とアクセスポイント１０５との間のＬ１ ５０６で発生し得る。
【００４２】
[0051]  ユーザプレーンでは、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅＮＢで終端する。図示されないが、ＵＥは、ネットワーク側のＰＤＮゲートウェイで終端するネットワークレイヤ（例えば、ＩＰレイヤ）、および接続の他端（例えば、遠端のＵＥ、サーバ、など）で終端するアプリケーションレイヤを含む、Ｌ２レイヤ４０８より上位のいくつかの上位レイヤを有し得る。
【００４３】
[0052]  ＰＤＣＰサブレイヤ５１４は、異なる無線ベアラと論理チャネルとの間の多重化を提供する。ＰＤＣＰサブレイヤ５１４はまた、無線送信のオーバーヘッドを低減するために上位レイヤのデータパケットのヘッダ圧縮を提供し、それらのデータパケットを暗号化することによってセキュリティを提供し、ｅＮＢ間でのＵＥのハンドオーバーのサポートを提供する。ＲＬＣサブレイヤ５１２は、上位レイヤのデータパケットのセグメント化および再構成、損失データパケットの再送信、並びにハイブリッド自動再送要求（ＨＡＲＱ）のために順序が乱れた受信を補償するためのデータパケットの並び替えを提供する。ＭＡＣサブレイヤ５１０は、論理チャネルとトランスポートチャネルとの間の多重化を提供する。ＭＡＣサブレイヤ５１０はまた、ＵＥ間の１つのセル内で様々な無線リソース（例えば、リソース要素ブロック）を割り振ることを担う。ＭＡＣサブレイヤ５１０はまた、ＨＡＲＱ演算を担う。
【００４４】
[0053]  制御プレーンにおいて、ＵＥおよびｅノードＢのための無線プロトコルアーキテクチャは、制御プレーンに関してヘッダ圧縮機能がないことを除いて、物理レイヤ５０６およびＬ２レイヤ５０８の場合と実質的に同一である。制御プレーンはまた、レイヤ３（Ｌ３レイヤ）内の無線リソース制御（ＲＲＣ）サブレイヤ５１６を含む。ＲＲＣサブレイヤ５１６は、無線リソース（すなわち、無線ベアラ）を取得すること、およびｅＮＢとＵＥとの間でＲＲＣシグナリングを使用してより下位のレイヤを構成することを担う。
【００４５】
[0054]  図６は、アクセスネットワークにおいて、ＵＥ ６５０（例えば、ＵＥ １１５、８０２など）と通信するｅＮＢ ６１０（例えば、アクセスポイント１０５、ｅＮＢ ８０４など）のブロック図である。ＤＬでは、コアネットワークからの上位レイヤパケットが、コントローラ／プロセッサ６７５に提供される。コントローラ／プロセッサ６７５は、Ｌ２レイヤの機能を実装する。ＤＬでは、コントローラ／プロセッサ６７５は、ヘッダの圧縮、暗号化、パケットのセグメント化および並び替え、論理チャネルとトランスポートチャネルとの間の多重化、並びに様々な優先順位メトリックに基づいたＵＥ ６５０に対する無線リソース割り振りを提供する。コントローラ／プロセッサ６７５はまた、ＨＡＲＱ動作、損失パケットの再送、およびＵＥ ６５０へのシグナリングを担う。
【００４６】
[0055]  送信（ＴＸ）プロセッサ６１６は、Ｌ１レイヤ（すなわち、物理レイヤ）のための様々な信号処理機能を実装する。信号処理機能は、ＵＥ ６５０における前方誤り訂正（ＦＥＣ）を容易にするためのコーディングおよびインターリービング、並びに様々な変調スキーム（例えば、２位相偏移変調（ＢＰＳＫ）、４位相偏移変調（ＱＰＳＫ）、Ｍ位相変調（Ｍ−ＰＳＫ）、Ｍ値直交振幅変調（Ｍ−ＱＡＭ））に基づく信号コンステレーションへのマッピングを含む。コーディングされ変調されたシンボルは次に、並列ストリームに分けられる。各ストリームは次に、ＯＦＤＭサブキャリアにマッピングされ、時間領域および／または周波数領域内で基準信号（例えば、パイロット）を用いて多重化され、逆高速フーリエ変換（ＩＦＦＴ）を使用して一緒に組み合わせられ、時間領域のＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調スキームを決定するために使用され、同様に空間処理のためにも使用され得る。チャネル推定値は、ＵＥ ６５０によって送信されたチャネル状態フィードバックおよび／または基準信号から導出され得る。各空間ストリームは次に、別個の送信機６１８ ＴＸを介して異なるアンテナ６２０に提供される。各送信機６１８ ＴＸは、送信のためにそれぞれの空間ストリームを用いてＲＦキャリアを変調する。加えて、ｅＮＢ ６１０は、例えば、限定はされないが、フレーム構造７００、７５０（図７）のような少なくとも１つのＣＣを介して低レイテンシ通信のためのフレーム構造を使用して、リソース許可をＵＥ ６５０に通信するように構成されたスケジューリングコンポーネント６０２を含み得る。
【００４７】
[0056]  ＵＥ ６５０において、各受信機７５４ ＲＸは、そのそれぞれのアンテナ６５２を介して信号を受信する。各受信機６５４ ＲＸは、ＲＦキャリア上で変調された情報を復元し、受信機（ＲＸ）プロセッサ６５６に情報を提供する。ＲＸプロセッサ６５６は、Ｌ１レイヤの様々な信号処理機能を実装する。ＲＸプロセッサ６５６は、ＵＥ ６５０に宛てられた任意の空間ストリームを復元するために、情報に対して空間処理を行う。複数の空間ストリームがＵＥ ６５０に宛てられる場合、それらは、ＲＸプロセッサ６５６によって単一のＯＦＤＭシンボルストリームに組み合わされ得る。ＲＸプロセッサ６５６は次に、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボル、および基準信号は、ｅＮＢ６１０によって送信される最も可能性の高い信号コンステレーションポイントを決定することによって復元および復調される。これらの軟判定は、チャネル推定器６５８によって計算されるチャネル推定値に基づき得る。軟判定は次に、物理チャネル上でｅＮＢ６１０によって当初送信されたデータおよび制御信号を復元するために、復号されデインターリーブされる。データおよび制御信号は次に、コントローラ／プロセッサ６５９に提供される。
【００４８】
[0057]  コントローラ／プロセッサ６５９は、Ｌ２レイヤを実装する。コントローラ／プロセッサは、プログラムコードおよびデータを記憶するメモリ６６０に関連付けられ得る。メモリ６６０は、コンピュータ読取可能な媒体と呼ばれ得る。ＵＬでは、コントローラ／プロセッサ６５９は、コアネットワークからの上位レイヤパケットを復元するために、トランスポートチャネルと論理チャネルとの間の逆多重化、パケットの再構成、暗号解読（deciphering）、ヘッダ圧縮解除、制御信号処理を提供する。上位レイヤパケットは次に、データシンク６６２に提供され、それは、Ｌ２レイヤより上位の全てのプロトコルレイヤを表す。様々な制御信号もまた、Ｌ３処理のためにデータシンク６６２に提供され得る。コントローラ／プロセッサ６５９はまた、ＨＡＲＱ演算をサポートするために、肯定応答（ＡＣＫ）および／または否定応答（ＮＡＣＫ）プロトコルを使用した誤り検出を担う。加えて、ＵＥ ６５０は、本明細書で説明されるように、（例えば、スケジューリングコンポーネント６０２によるフレーム構造に従って許可され、ｅＮＢ６１０から受信されたリソースに基づいて）低レイテンシのためのフレーム構造を使用して、受信、復号、送信、および動作するように構成された通信コンポーネント６６１を含み得る。
【００４９】
[0058]  ＵＬでは、データソース６６７は、コントローラ／プロセッサ６５９に上位レイヤパケットを提供するために使用される。データソース６６７は、Ｌ２レイヤより上位の全てのプロトコルレイヤを表す。ｅＮＢ６１０によるＤＬ送信に関連して説明される機能と同様に、コントローラ／プロセッサ６５９は、ヘッダの圧縮、暗号化、パケットのセグメント化および並び替え、並びにｅＮＢ ６１０による無線リソースの割り振りに基づいた論理チャネルとトランスポートチャネルとの間の多重化を提供することによって、ユーザプレーンおよび制御プレーンのためのＬ２レイヤを実装する。コントローラ／プロセッサ６５９はまた、ＨＡＲＱ動作、損失パケットの再送、ｅＮＢ ６１０へのシグナリングを担う。
【００５０】
[0059]  ｅＮＢ ６１０によって送信された基準信号またはフィードバックからチャネル推定器６５８によって導出されたチャネル推定値は、適切なコーディングおよび変調スキームを選択し、空間処理を容易にするために、ＴＸプロセッサ６６８によって使用され得る。ＴＸプロセッサ６６８によって生成された空間ストリームは、別個の送信機６５４ ＴＸを介して異なるアンテナ６５２に提供される。各送信機６５４ ＴＸは、送信のためにそれぞれの空間ストリームを用いてＲＦキャリアを変調する。
【００５１】
[0060]  ＵＬ送信は、ＵＥ ６５０で受信機機能に関連して説明されるものと同様の方法で、ｅＮＢ ６１０内で処理される。各受信機６１８ ＲＸは、そのそれぞれのアンテナ６２０を通じて信号を受信する。各受信機６１８ ＲＸは、ＲＦキャリア上に変調された情報を復元し、ＲＸプロセッサ６７０にその情報を提供する。ＲＸプロセッサ６７０は、Ｌ１レイヤを実装し得る。
【００５２】
[0061]  コントローラ／プロセッサ６７５は、Ｌ２レイヤを実装する。コントローラ／プロセッサ６７５は、プログラムコードおよびデータを記憶するメモリ６７６に関係付けられ得る。メモリ６７６は、コンピュータ読取可能な媒体と呼ばれ得る。ＵＬでは、コントローラ／プロセッサ６７５は、ＵＥ ６５０からの上位レイヤパケットを復元するために、トランスポートチャネルと論理チャネルとの間での逆多重化、パケットの再構成、暗号解読、ヘッダ圧縮解除、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用した誤り検出を担う。
【００５３】
[0062]  図７は、本明細書で説明される様々なＳＲモードのためのリソース割り振りを用いた、フレーム構造７００およびフレーム構造７５０の限定されない例を例示する図である。フレーム構造７００は、ｘミリ秒（ｍｓ）に等しい時間（Ｔｍ）の複数のフレームを有するＴＤＤフレーム構造を表しており、ここで、ｘは正の整数である。各フレームは、専用ダウンリンク（dedicated downlink）ＴＴＩ ７０２、構成可能なダウンリンクまたはアップリンクＴＴＩ ７０４、あるいは専用アップリンク（dedicated uplink）ＴＴＩ ７０６として構成された１つ以上のＴＴＩを含み得る。一例では、上述される低レイテンシ通信構成、ＬＴＥにおけるサブフレームなどにおいて、各ＴＴＩは、シンボル、複数のシンボル、スロットなどであり得る。例えば、専用ダウンリンクＴＴＩ ７０２およびアップリンクＴＴＩ ７０６を指定することは、無線リソース管理（ＲＲＭ）測定、ＵＥとｅＮＢとの間の同期、チャネル状態情報（ＣＳＩ）フィードバック送信、ランダムアクセスチャネル（ＲＡＣＨ）通信、ＳＲなどを利用可能にし得る。一例では、専用ダウンリンクＴＴＩ ７０２および専用アップリンクＴＴＩ ７０６は、ネットワークノード間（例えば、ＵＥとｅＮＢとの間）で構成された無線リソース制御（ＲＲＣ）であり得る。
【００５４】
[0063]  さらに、例えば、残りのＴＴＩ ７０４は、アップリンクまたはダウンリンク通信のために構成可能であり得、アップリンクおよびダウンリンク通信間で動的に切り替えられ得る。一例では、ｅＮＢのようなサービングネットワークノードが切り替えを決定し得、そのサービングネットワークノードと通信するために、ＵＥのような他のネットワークノードに提供される１つ以上のリソース許可においてその切り替えを定義する。これに関して、許可を受信するネットワークノードは、所与のＴＴＩがサービングネットワークノードからの通信（ダウンリンク通信）を受信するために構成されるのか、またはサービングネットワークノードへの通信（アップリンク通信）を送信するために構成されるのかを決定し得る。フレーム構造７００において各ＴＴＩがＯＦＤＭシンボルによって定義され得るので、低レイテンシ通信を提供するように、ＬＴＥにおけるＴＴＩの１ミリ秒（ｍｓ）サブフレームの持続時間よりも短い持続時間であり得ることが理解されるだろう。アップリンクおよびダウンリンクＴＴＩ間の動的切り替えは、アップリンクおよびダウンリンク通信の望ましい配置を行うために適用可能なフレームを提供し得、それは、ある特定のアップリンク／ダウンリンクレイテンシを得ることを可能にする。
【００５５】
[0064]  現在のＬＴＥシステムで行われるＳＲの周期的スケジューリングは、ＳＲのより頻繁な送信および対応するリソース許可の受信の利益を得る
ことができる低レイテンシ通信において、リソースをスケジューリングするのに十分ではない可能性がある。これに関して、ＳＲは、データがＵＥバッファ内に到着するときに、アップリンク許可がどれだけ早くＵＥで受信されるかに直接影響を及ぼすため、アップリンクレイテンシの重要なコンポーネントである。従って、低レイテンシＴＤＤフレーム構造７００または同様のフレーム構造で使用するための異なるＳＲモードが本明細書で説明される。ＳＲをｅＮＢに送信するためのＳＲモードの１つ以上をＵＥが使用し得、そのモードおよび／または関連するリソースがｅＮＢ、または別のネットワークノードによって、ＵＥのために構成され得ることが理解されるだろう。
【００５６】
[0065]  異なるＳＲモードが、フレーム構造７５０で表される。フレーム構造７５０は同様に、ＤＬ通信専用のＴＴＩ ７０２、ＤＬまたはＵＬ通信のために動的に構成され得るＴＴＩ ７０４、およびＵＬ通信専用のＴＴＩ ７０６を含む、様々なＴＴＩを含む。例えば、ＳＲモードは、ＳＲリソースがＴＴＩ ７５２のような周期的な専用アップリンクＴＴＩ ７０６上で構成される周期的なＳＲモードを含み得る。例えば、周期的なＳＲモードでは、ＳＲは、（ＴＴＩ ７５２を含む）各専用アップリンクＴＴＩ ７０６、（例えば、ｎが正の整数である、ｎ番目の専用アップリンクＴＴＩ ７５２ごとの）構成された間隔を有する専用アップリンクＴＴＩ ７０６、ネットワークによって構成され得る、ランダムに選択された専用アップリンクＴＴＩ ７０６、（例えば、ネットワークノードのセル識別子のような、別のパラメータに基づいて選択される）擬似ランダムで選択された専用アップリンクＴＴＩ ７０６などで構成され得る。
【００５７】
[0066]  別の例では、ＳＲモードは、ＳＲリソースが必要に応じて、またはそうでなければ周期的パターンに基づかずに構成される非周期的なＳＲモードを含み得、そのため、他のアップリンク送信と多重化され得る。例えば、非周期的なＳＲモードでは、ＳＲリソースは、動的アップリンクＴＴＩ ７５４で送信された肯定応答（ＡＣＫ）／否定応答（ＮＡＣＫ）と多重化されるように構成され得る。他の例では、このモードにおけるＳＲリソースは、ＣＳＩまたは他のアップリンク制御情報と多重化されるように構成され得る。例えば、非周期的なＳＲモードでは、ＳＲは、アップリンク制御情報の各インスタンス、または、ｅＮＢなどによって構成されるようなある特定のＴＴＩにおけるアップリンク送信を用いて送信される、アップリンク制御情報のある特定のタイプ（例えば、ＡＣＫ／ＮＡＣＫ、ＣＳＩなど）を用いて送信されるように構成され得る。
【００５８】
[0067]  さらに別の例では、ＳＲモードは、ＴＴＩ ７５６を含む、ＳＲリソースが動的アップリンクＴＴＩ ７０４において構成される日和見的なモードを含み得る。この例では、ＳＲリソースは周期的に構成され得る（例えば、ｅＮＢによって、ランダムに、擬似ランダムになど）が、所与のＴＴＩ ７０４がダウンリンクＴＴＩ ７５８として構成される場合、そのＴＴＩはマスキングされ、ＳＲ送信のために使用されない可能性がある。ＳＲ送信をマスキングすることは、ＳＲを送信することを控えること、低いまたはＮＵＬＬ送信電力を有するＳＲを送信すること、日和見的なＳＲ送信のために構成される、およびアップリンクＴＴＩであるなどのような、後に続くＴＴＩ ７０４で送信するために、ＳＲ送信を保留することを含み得る。よって、この例では、ＳＲ送信の周期性または他のスケジューリングは、ｅＮＢによって構成され得、ＵＥが、ＳＲ送信機会がダウンリンク構成ＴＴＩ内にあることを決定する場合、ＵＥは、ＳＲを送信することを控えることができる。
【００５９】
[0068]  図８−１０を参照すると、態様は、本明細書で説明されるアクションまたは機能を行い得る１つ以上のコンポーネントおよび１つ以上の方法を参照して表される。一態様では、本明細書で使用される「コンポーネント」という用語は、システムを構成する部分のうちの１つであり得、ハードウェアまたはソフトウェア、あるいはこれらのいくつかの組み合わせであり得、他のコンポーネントに分割され得る。図９および１０で下記に説明される動作は、特定の順序で表される、および／またはコンポーネントの例によって行われるが、アクションの順序およびそのアクションを行うコンポーネントが実装に応じて変更され得ることが理解されるべきである。さらに、下記のアクションまたは機能が、特別にプログラムされたプロセッサ、特別にプログラムされたソフトウェアまたはコンピュータ読取可能な媒体を実行するプロセッサによって、あるいは説明されるアクションまたは機能を行うことができるハードウェアコンポーネントおよび／またはソフトウェアコンポーネントの任意の他の組み合わせによって行われ得ることが理解されるべきである。
【００６０】
[0069]  図８は、ワイヤレスネットワークにおいてＳＲを通信するためのシステム８００の例を例示する。システム８００は、ワイヤレスネットワークにアクセスするためにｅＮＢ ８０４を用いて通信するＵＥ ８０２を含み、それらの例は、上記の図１、２、６などで説明される。一態様では、ｅＮＢ ８０４およびＵＥ ８０２は、ダウンリンク信号８０９を介して通信するための確立された１つ以上のダウンリンクチャネルを有し、それは、制御および／またはデータメッセージ（例えば、シグナリング）を通信するために、構成された通信リソースを介してｅＮＢ ８０４からＵＥ ８０２に、（例えば、トランシーバ８５６を介して）ｅＮＢ ８０４によって送信され、（例えば、トランシーバ８０６を介して）ＵＥ ８０２によって受信され得る。さらに、例えば、ｅＮＢ８０４およびＵＥ８０２は、アップリンク信号８０８を介して通信するための確立された１つ以上のアップリンクチャネルを有し得、それは、制御および／またはデータメッセージ（例えば、シグナリング）を通信するために、構成された通信リソースを介してＵＥ ８０２からｅＮＢ ８０４に、（例えば、トランシーバ８０６を介して）ＵＥ ８０２によって送信され、（例えば、トランシーバ８５６を介して）ｅＮＢ ８０４によって受信され得る。例えば、ＵＥ ８０２は、１つ以上のアップリンク通信チャネル（ｅＮＢ８０４によって許可され得るリソース）を介してＳＲ ８８０をｅＮＢ ８０４に通信し得、それは、図７に関して説明されるＳＲモード（例えば、周期的な、非周期的な、および／または日和見的な）のうちの１つ以上に従い得る。さらに、例えば、ｅＮＢ ８０４は、ｅＮＢ ８０４と通信するためのＵＥ ８０２についてのリソースをスケジューリングするために、ＳＲに応答して１つ以上のリソース許可８８５をＵＥ ８０２に通信し得る。
【００６１】
[0070]  一態様では、ＵＥ ８０２は、例えば、１つ以上のバス８０７を介して通信可能に結合され得る１つ以上のプロセッサ８０３および／またはメモリ８０５を含み得、本明細書で説明されるようなｅＮＢ ８０４からのリソース許可８８２などを受信する、ｅＮＢ ８０４にＳＲ ８８０を送信するための通信コンポーネント６６１と連結して動作するか、またはそうでなければそれを実装し得、それは、ｅＮＢ ８０４にＳＲを送信するためのリソース許可８８２（例えば、アップリンク制御チャネルにおいて）を受信することを含み得る。例えば、通信コンポーネント６６１に関連付けられた様々な動作は、１つ以上のプロセッサ８０３によって実装されるか、またはそうでなければ実行され得、一態様では単一のプロセッサによって実行され得、一方他の実装形態では、動作のうちの異なる１つが２つ以上の異なるプロセッサの組み合わせによって実行され得る。例えば、一態様では、１つ以上のプロセッサ８０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ８０６に関連付けられたトランシーバプロセッサのうちのいずれか１つあるいは任意の組み合わせを含み得る。さらに、例えば、メモリ８０５は、限定はされないが、ランダムアクセスメモリ（ＲＡＭ）、読み取り専用メモリ（ＲＯＭ）、プログラム可能なＲＯＭ（ＰＲＯＭ）、消去可能なＰＲＯＭ（ＥＰＲＯＭ）、電子的に消去可能なＰＲＯＭ（ＥＥＰＲＯＭ）、磁気記憶デバイス（例えば、ハードディスク、フロッピーディスク、磁気ストリップ）、光学デバイス（例えば、コンパクトディスク（ＣＤ）、デジタル多用途ディスク（ＤＶＤ））、スマートカード、フラッシュメモリデバイス（例えば、カード、スティック、キードライブ）、レジスタ、リムーバブルディスク、あるいは、コンピュータまたは１つ以上のプロセッサ８０３によってアクセスされ読み取られ得るソフトウェアおよび／またはコンピュータ読取可能なコードまたは命令を記憶するための任意の他の適切な媒体を含む、非一時的コンピュータ読取可能な媒体であり得る。さらに、メモリ８０５またはコンピュータ読取可能な記憶媒体は、１つ以上のプロセッサ８０３の内部、１つ以上のプロセッサ８０３の外部に存在し得、１つ以上のプロセッサ８０３などを含む複数のエンティティにわたって分散され得る。
【００６２】
[0071]  具体的には、１つ以上のプロセッサ８０３および／またはメモリ８０５は、通信コンポーネント６６１またはそのサブコンポーネントによって定義されるアクションまたは動作を実行し得る。例えば、１つ以上のプロセッサ８０３および／またはメモリ８０５は、ｅＮＢ ８０４からのリソース許可を取得するために、リソース許可受信コンポーネント８１０によって定義されるアクションまたは動作を実行し得、それは、ＳＲを送信するためのリソース、ＳＲに基づいてｅＮＢ ８０４と通信するためのリソースなどを含み得る。一態様では、例えば、リソース許可受信コンポーネント８１０は、ハードウェア（例えば、１つ以上のプロセッサ８０３の１つ以上のプロセッサモジュール）、および／または、メモリ８０５に記憶されたコンピュータ読取可能なコードまたは命令を含み得、本明細書で説明される特別に構成されたリソース許可受信および／または処理動作を行うために、１つ以上のプロセッサ８０３のうちの少なくとも１つによって実行可能である。さらに、例えば、１つ以上のプロセッサ８０３および／またはメモリ８０５は、１つ以上のＳＲモードを決定する、あるいはＳＲを送信するためのリソースに関連付けられたＳＲモード決定コンポーネント８１２によって定義されるアクションまたは動作を実行し得る。一態様では、例えば、ＳＲモード決定コンポーネント８１２は、ハードウェア（例えば、１つ以上のプロセッサ８０３の１つ以上のプロセッサモジュール）、および／またはメモリ８０５に記憶されたコンピュータ読取可能なコードまたは命令を含み得、本明細書で説明される特別に構成されたＳＲモード決定動作を行うために、１つ以上のプロセッサ８０３のうちの少なくとも１つによって実行可能である。さらに、例えば、１つ以上のプロセッサ８０３および／またはメモリ８０５は、ＳＲを送信するために許可されたリソースを介しておよび／または１つ以上の決定されたＳＲモードに従って、ＳＲを送信するためのＳＲ送信コンポーネント８１４によって定義されるアクションまたは動作を任意で実行し得る。一態様では、例えば、ＳＲ送信コンポーネント８１４は、ハードウェア（例えば、１つ以上のプロセッサ８０３の１つ以上のプロセッサモジュール）、および／またはメモリ８０５に記憶されたコンピュータ読取可能なコードまたは命令を含み得、本明細書で説明される特別に構成されたＳＲ送信動作を行うための１つ以上のプロセッサ８０３のうちの少なくとも１つによって実行可能である。
【００６３】
[0072]  同様に、一態様では、ｅＮＢ ８０４は、例えば、１つ以上のバス８５７を介して通信可能に結合され得る１つ以上のプロセッサ８５３および／またはメモリ８５５を含み得、本明細書で説明されるように、ＵＥ ８０２とのＳＲ送信のためにおよび／またはＵＥ ８０２とのＳＲ送信に基づいて、１つ以上のリソース許可８８２を通信するためにスケジューリングコンポーネント６０２のうちの１つ以上と連結して動作するか、またはそうでなければそれを実装し得る。例えば、スケジューリングコンポーネント６０２に関連付けられた様々な機能は、１つ以上のプロセッサ８５３によって実装されるか、またはそうでなければそれによって実行され得、一態様では単一のプロセッサによって実行され得る一方、他の実装形態では、上述されるように、機能のうちの異なる１つが２つ以上の異なるプロセッサによって実行され得る。一例では、１つ以上のプロセッサ８５３および／またはメモリ８５５が、ＵＥ ８０２の１つ以上のプロセッサ８０３および／またはメモリ８０５に関連して上の例で説明されるように構成され得ることが理解されるだろう。
【００６４】
[0073]  一例では、１つ以上のプロセッサ８５３および／またはメモリ８５５は、スケジューリングコンポーネント６０２またはそのサブコンポーネントによって定義されるアクションまたは動作を実行し得る。例えば、１つ以上のプロセッサ８５３および／またはメモリ８５５は、ＳＲを通信するためにおよび／または受信したＳＲに基づいてデータを通信するために、１つ以上のリソース許可８８２を生成するためのリソース許可生成コンポーネント８２０によって定義されるアクションまたは動作を実行し得る。一態様では、例えば、リソース許可生成コンポーネント８２０は、ハードウェア（例えば、１つ以上のプロセッサ８５３の１つ以上のプロセッサモジュール）、および／またはメモリ８５５に記憶されたコンピュータ読取可能なコードまたは命令を含み、本明細書で説明される特別に構成されたリソース許可生成動作を行うために、１つ以上のプロセッサ８５３のうちの少なくとも１つによって実行可能である。さらに、例えば、１つ以上のプロセッサ８５３および／またはメモリ８５５は、ｅＮＢ ８０４にＳＲ８８０を送信する際に利用するために、ＵＥ ８０２のための１つ以上のＳＲモードを選択および／または構成するための、任意のＳＲモード選択コンポーネント８２２によって定義されるアクションまたは動作を実行し得る。一態様では、例えば、ＳＲモード選択コンポーネント８２２は、ハードウェア（例えば、１つ以上のプロセッサ８５３の１つ以上のプロセッサモジュール）、および／またはメモリ８５５に記憶されたコンピュータ読取可能なコードまたは命令を含み得、本明細書で説明される特別に構成されたＳＲモード選択動作を行うために、１つ以上のプロセッサ８５３のうちの少なくとも１つによって実行可能である。
【００６５】
[0074]  トランシーバ８０６、８５６が１つ以上のアンテナ、ＲＦフロントエンド、１つ以上の送信機、および１つ以上の受信機を通してワイヤレス信号を送信および受信するように構成され得ることが理解されるだろう。一態様では、トランシーバ８０６、８５６は、ＵＥ ８０２および／またはｅＮＢが、ある特定の周波数で通信することができるように、特定された周波数で動作するように調整され得る。一態様では、関連するアップリンクまたはダウンリンク通信チャネルを介してアップリンク信号８０８および／またはダウンリンク信号８０９をそれぞれ通信するための構成、通信プロトコルなどに基づいて、特定された周波数および電力レベルで動作するように、１つ以上のプロセッサ８０３はトランシーバ８０６を構成し得、および／または１つ以上のプロセッサ８５３はトランシーバ８５６を構成し得る。
【００６６】
[0075]  一態様では、トランシーバ８０６、８５６は、トランシーバ８０６、８５６を使用して送信および受信されたデジタルデータを処理するように、複数の帯域（例えば、図示されていないが、マルチバンド−マルチモードモデムを使用して）で動作し得る。一態様では、トランシーバ８０６、８５６は、マルチバンドであり得、特定の通信プロトコルに対して複数の周波数帯域をサポートするように構成される。一態様では、トランシーバ８０６、８５６は、複数の処理ネットワークおよび通信プロトコルをサポートするように構成され得る。そのため、例えば、トランシーバ８０６、８５６は、特定されたモデム構成に基づく信号の送信および／または受信を利用可能であり得る。
【００６７】
[0076]  図９は、１つ以上のＳＲモードに従った（例えば、ＵＥによってｅＮＢに）ＳＲを送信するための方法９００の例を例示する。方法９００は、ブロック９０２において、アップリンクおよびダウンリンク通信間のＴＴＩの動的切り替えを可能にするフレーム構造を使用して、ネットワークエンティティと通信することを含む。ＵＥ８０２（図８）の通信コンポーネント６６１は、アップリンクおよびダウンリンク通信間のＴＴＩの動的切り替えを可能にするフレーム構造を使用して、ネットワークエンティティ（例えば、ｅＮＢ ８０４）と通信することができる。一態様では、ＵＥ ８０２およびｅＮＢ ８０４は、ある特定のＴＴＩがアップリンク通信専用であり得、ある特定のＴＴＩがダウンリンク通信専用であり得、およびある特定のＴＴＩがアップリンクまたはダウンリンク通信（例えば、図７で説明される例）のために構成され得るＴＤＤ通信モードで動作可能であり得る。アップリンク通信のために構成されるまたはアップリンク通信専用であるＴＴＩは、一般に本明細書でアップリンクＴＴＩと呼ばれ得、同様に、ダウンリンク通信のために構成されるまたはダウンリンク通信専用であるＴＴＩは、一般に本明細書で、ダウンリンクＴＴＩと呼ばれ得る。
【００６８】
[0077]  一例では、アップリンクまたはダウンリンク通信のために構成され得るＴＴＩは、（例えば、望ましいアップリンクおよび／またはダウンリンクデータレートを得ることを可能にするためのトラフィックパラメータに基づいて）アップリンク／ダウンリンク通信間の望ましい分割（split）を得るために、ｅＮＢ ８０４によってアップリンクまたはダウンリンクＴＴＩとして動的に構成され得る。例えば、所与のＴＴＩ（例えば、現在のまたは次のＴＴＩに対応する指示、あるいは現在のまたは次のＴＴＩから指示された数のＴＴＩなど）におけるアップリンク／ダウンリンク間の切り替えの少なくとも１つの指示またはＴＴＩの構成に関する情報は、ＵＥ ８０２およびｅＮＢ ８０４が同じ構成に基づいて通信し得るため、（例えば、１つ以上のダウンリンク信号８０９において）ＵＥ ８０２へと通信され得る。そのため、一例では、スケジューリングコンポーネント６０２は、ＴＴＩ構成を決定し、および／または、アップリンクまたはダウンリンク通信をサポートするＴＴＩにおいて、アップリンク通信からダウンリンク通信におよび／またはその逆も同様にいつ切り替えるかを決定し得、ＴＴＩ構成および／またはＵＥ ８０２に対する切り替えの指示を通信することができる。一例では、ＴＴＩ構成は、ビットに対応する各ＴＴＩがダウンリンク（例えば、ビット値０または１）であるか、またはアップリンク（例えば、ビット値１または０）であるかを、１つ以上のビット値を介して指示するビットマップを含み得る。さらに、ＴＴＩがＬＴＥにおける１ｍｓサブフレームの持続時間よりも短い持続時間であり得ることが理解されるだろう（例えば、１つのＯＦＤＭ／ＳＣ−ＦＤＭシンボル、２つのＯＦＤＭ／ＳＣ−ＦＤＭ、１スロットなど）。
【００６９】
[0078]  加えて、例えば、ＵＥ ８０２は、ｅＮＢ ８０４と通信するために、ＵＥ ８０２に対して許可されたリソースを介してｅＮＢ ８０４と通信し得る。例えば、リソース許可生成コンポーネント８２０は、フレーム構造に基づいて指定されたアップリンクおよび／またはダウンリンクリソースを用いてＵＥ ８０２を構成し得、リソース許可受信コンポーネント８１０は、通信コンポーネント６６１を介してｅＮＢ ８４０と通信するためにリソースを受信し得る。一例では、フレーム構造は、ダウンリンク通信のために構成される専用ダウンリンクＴＴＩ、アップリンクまたはダウンリンク通信のいずれかについて構成可能なＴＴＩ、およびアップリンク通信のために構成された専用アップリンクＴＴＩを含む、フレーム構造７００、７５０（図７）に類似し得る。よって、通信コンポーネント６６１は、ｅＮＢ ８０４からの（例えば、トランシーバ８０６を介して受信するためのトランシーバ８５６からの）ダウンリンク信号８０９において、ダウンリンクＴＴＩの１つ以上で構成されたリソースを介して通信を受信し得、ＵＥ ８０２のためにｅＮＢ ８０４によって構成されたリソースに基づいて、（例えば、トランシーバ８５６を介して受信するためのトランシーバ８０６からの）アップリンクＴＴＩなどの１つ以上で構成されたリソースを介してアップリンク信号８０８において（ＳＲを含み得る）ｅＮＢ ８０４への通信を送信し得る。
【００７０】
[0079]  方法９００は、ブロック９０４において、フレーム構造に少なくとも部分的に基づいて、アップリンク通信のために構成されたＴＴＩのうちの１つ以上において、ネットワークエンティティへのＳＲ送信のために少なくとも１つのＳＲモードを選択することを任意でさらに含む。ＳＲモード決定コンポーネント８１２は、フレーム構造に少なくとも部分的に基づいて、アップリンク通信のために構成されたＴＴＩのうちの１つ以上において、ネットワークエンティティ（例えば、ｅＮＢ ８０４）へのＳＲ送信のための少なくとも１つのＳＲモードを選択し得る。例えば、ＳＲモード決定コンポーネント８１２は、上述されるような周期的なＳＲモード、非周期的なＳＲモード、日和見的なＳＲモードなどのうちの１つ以上を選択し得る。ＳＲモード決定コンポーネント８１２は、一例では、ＵＥ ８０２のスループット要求に少なくとも部分的に基づいて、ＳＲモードを選択し得、（例えば、潜在的にさらなるＳＲ送信機会について）１つまたは多数のＳＲモードを選択し得る。例えば、ＳＲモード決定コンポーネント８１２は、リソースに関するＵＥ ８０２の能力または要求（例えば、バッファレベル）などに少なくとも部分的に基づいて、１つ以上のＳＲモードを選択し得る。
【００７１】
[0080]  方法９００は、ブロック９０６において、ＳＲを送信するために、１つ以上のＳＲモードの構成を受信することを任意で含み得る。ＳＲモード選択コンポーネント８２２は、ＳＲモードのうちの１つ以上を構成し得、ＵＥ ８０２への１つ以上のダウンリンク信号８０９において１つ以上のＳＲモードを示し得、それは、本明細書でさらに説明されるように、トランシーバ８０６を介してＳＲモード決定コンポーネント８１２によって受信され、ＳＲを送信する際に使用され得る。別の例では、ＳＲモード決定コンポーネント８１２は、１つ以上のアップリンク信号８０２において、ＳＲモードのうちの１つ以上の選択をｅＮＢ ８０４に示し得、ＳＲモード選択コンポーネント８２２は、ＵＥ ８０２が１つ以上のＳＲモードを利用することを可能にするか否か（例えば、ｅＮＢ ８０４の能力、負荷、または他のパラメータに基づいて）を決定し得、１つ以上のＳＲモードを許可する指示、１つ以上のＳＲモードを許可しない指示、許可されたＳＲモードのうちの１つ以上の指示などを通信し得る。そのため、例えば、ＳＲモード決定コンポーネント８１２は、指示を受信し、本明細書でさらに説明されるようなＳＲを送信するための１つ以上のＳＲモードを決定し得る。しかしながら、ＳＲモード決定コンポーネント８１２が、追加的にまたは代替的に、ＵＥ ８０２の１つ以上のパラメータ（例えば、アップリンク通信チャネルなどに関連付けられた、レイテンシ、保証されたビットレート、サービス品質など）に基づいて、ＳＲを送信するための１つ以上のＳＲモードを決定し得ることが理解されるだろう。
【００７２】
[0081]  よって、いくつかの例では、ＳＲモード選択コンポーネント８２２は、ＵＥ ８０２のためにＳＲモードを選択し得、下記の図１０を参照して説明されるような、選択されたＳＲモードの指示および／または１つ以上の関連したパラメータをＵＥ ８０２にシグナリングし得る。一例では、ＳＲモード決定コンポーネント８１２は、ｅＮＢ ８０４から受信されたインジケータに基づいて、ＳＲモードを決定し得る。さらに別の例では、リソース許可生成コンポーネント８２０は、ＳＲモード選択コンポーネント８２２によって選択されたＳＲモードに基づいて、ＳＲリソースをＵＥ ８０２のためにスケジューリングおよび示し得る。いずれの場合も、例えば、リソース許可生成コンポーネント８２０は、ＵＥ ８０２に対してＳＲを送信するために、リソース許可を生成し、それは、ＳＲ送信のためのリソースとして指示され得、より一般的には、アップリンク制御情報送信などのためのリソースとして指示され得る。ブロック９０４において少なくとも１つのＳＲモードを選択することは、ブロック９０８において、上述されるようなＳＲを送信するための非周期的な、周期的な、または日和見的なＳＲモードを選択することを任意で含み得る。ＳＲモード決定コンポーネント８１２は、ＵＥ ８０２に固有のパラメータに基づくかどうか（例えば、データがｅＮＢ ８０４に送信するために利用可能であるかどうか）、ｅＮＢ ８０４からの利用可能なＳＲモードの指示に基づくかどうかなどの、ＳＲを送信するための非周期的な、周期的な、または日和見的なＳＲモードを選択し得る。一例では、少なくとも１つのＳＲモードを選択することは、ＳＲモードを実際に選択することなく、１つ以上のＳＲモードに基づいて（例えば、メモリ８０５において、ｅＮＢ ８０４から受信されるような１つ以上のプロセッサ８０３で記憶された命令に基づいて）、ＳＲを送信することを含み得るように、任意であり得る。
【００７３】
[0082]  方法９００はまた、ブロック９１０において、少なくとも１つのＳＲモードに少なくとも部分的に基づいて、アップリンク通信のために構成された１つ以上のＴＴＩのうちの少なくとも１つのアップリンクＴＴＩにおいて、ネットワークエンティティにＳＲを送信することを含み得る。ＳＲ送信コンポーネント８１４は、少なくとも１つのＳＲモードに少なくとも部分的に基づいて、アップリンク通信のために構成された１つ以上のＴＴＩのうちの少なくとも１つのアップリンクＴＴＩにおいて、ＳＲをネットワークエンティティ（例えば、ｅＮＢ ８０４）に送信し得る。例えば、ＳＲモード決定コンポーネント８１２がＵＥ ８０２について使用するための１つ以上のＳＲモードを決定する（ＳＲモード選択コンポーネント８２２またはその他のものから受信されたインジケータに基づくかどうか）場合、ＳＲ送信コンポーネント８１４は、１つ以上のＳＲモード（図７のフレーム構造７５０で示される例）に従ってＳＲを送信する。ＳＲモード送信コンポーネント８１４が、ｅＮＢ ２０４に送信するために（例えば、ＵＥ ８０２のバッファ内に）データが存在するかどうかを決定することに基づいて、少なくとも１つのアップリンクＴＴＩにおいてＳＲを送信するかどうかをさらに決定することが理解されるだろう。ＳＲモード選択コンポーネント８２２がＵＥ ８０２のために１つ以上のＳＲモードを決定する場合、リソース許可生成コンポーネント８２０は、１つ以上のＳＲモードに基づいてＳＲのためにリソース許可を生成し、リソース許可受信コンポーネント８１０は、リソース許可を受信することができ、ＳＲ送信コンポーネント８１４は、そのリソース許可に基づいてＳＲをｅＮＢ ８０４に送信する。
【００７４】
[0083]  説明されるように、例えば、１つ以上のＳＲモードは、周期的なＳＲモードを含み、ＳＲ送信コンポーネント８１４は、期間に従ってＳＲを（例えば、トランシーバ８０６を介して）送信することができ、それは、ｅＮＢ ８０４によって定義され、ＵＥ ８０２のために構成される。いずれの場合も、期間は、ＳＲ送信がＵＥ ８０２を許可したＴＴＩの期間に対応し得る。これは、全てのＴＴＩの期間、アップリンク通信専用のものであるＴＴＩの期間などに対応し得る。
【００７５】
[0084]  １つ以上のＳＲモードが非周期的なＳＲモードを含む場合、ＳＲ送信コンポーネント８１４は、アップリンク通信のために構成されたある特定のＴＴＩ（例えば、専用アップリンクＴＴＩ、アップリンク通信のために構成されたアップリンクまたはダウンリンクのために動的に構成可能なＴＴＩなど）でＳＲを送信し得る。ＴＴＩは、ｅＮＢ ８０４によってＵＥ ８０２のためにスケジューリングされ得、および／またはＵＥ ８０２は、（例えば、ＵＥ ８０２が、ｅＮＢ ８０４に送信すべきデータを有すると決定するときに）ＴＴＩを決定し得る。この例では、アップリンクＴＴＩはまた、他の制御データを送信するためにも使用されるため、ブロック９１０においてＳＲを送信することは、ブロック９１２において、アップリンクＴＴＩにおいて１つ以上の他の送信とＳＲを多重化することを含み得る。ＳＲ送信コンポーネント８１４は、送信のためにＳＲを生成し得、通信コンポーネント６６１は、アップリンクＴＴＩにおいて１つ以上の他の送信と（例えば、ＡＣＫ／ＮＡＣＫ、ＣＳＩ、または類似する制御データ送信と）ＳＲを多重化し得る。
【００７６】
[0085]  １つ以上のＳＲモードが日和見的なＳＲモードを含む場合、ＳＲ送信コンポーネント８１４は、構成されたＴＴＩ上でＳＲを送信し得、ここで、構成されたＴＴＩは、アップリンク通信のために構成される。例えば、ＳＲ送信コンポーネント８１４は、アップリンクまたはダウンリンク通信のために構成可能な動的ＴＴＩを介して、ある期間に従ったＳＲを送信し得る。しかしながら、ＴＴＩがダウンリンク通信のために構成される場合、ＳＲ送信コンポーネント８１４は、ＴＴＩにおいてＳＲの送信をマスキングし得、それは、ＴＴＩ内のＳＲを送信することを控えること、別のＴＴＩでの送信のためにＳＲを保留すること、ＴＴＩ内の小さいまたはＮＵＬＬ電力を用いてＳＲを送信することなどを含み得る。よって、一例では、方法９００は、ブロック９１４において、ダウンリンクＴＴＩとして構成された１つ以上のＴＴＩにおいてＳＲの以前の送信をマスキングすることを任意で含み得る。説明されるように、ＳＲ送信コンポーネント８１４は、ダウンリンクＴＴＩとして構成された１つ以上のＴＴＩ（例えば、ダウンリンク通信のために構成された構成可能なＴＴＩのうちの１つ以上）において、ＳＲの以前の送信をマスキングし得る。
【００７７】
[0086]  さらに、一例では、リソース許可生成コンポーネント８２０は、ＵＥ ８２０のために競合ベースのリソースを構成し得、それは、ｅＮＢ ８０４を用いて実行されるランダムアクセスプロシージャに基づいて、ＵＥ ８０２のために許可されるリソースに関連し得る。この例では、リソース許可受信コンポーネント８１０は、通信コンポーネント６６１によってｅＮＢ ８０４と通信するために、（例えば、ランダムアクセスプロシージャの一部として）競合ベースのリソース許可をｅＮＢ ８０４から受信し得る。この例では、ブロック９１０においてＳＲを送信することは、ブロック９１６において、競合ベースのリソースバッファステータスとともにＳＲを送信することを任意で含み得る。ＳＲ送信コンポーネント８１４は、ｅＮＢ ８０４から競合ベースのリソースを取得しようとして、競合ベースのリソースバッファステータスをさらに送信する通信コンポーネント６６１とともにＳＲを送信し得る。よって、例えば、ＳＲ送信コンポーネント８１４は、ｅＮＢ ８０４とのより高速な通信のためにさらなるリソースを取得しようとして、および／または、競合ベースのアップリンクリソースが、バッファ内のデータを送信するのに十分ではない場合またはその上の送信が失敗した場合にフォールバックを提供するために、ＳＲをｅＮＢ ８０４にさらに送信し得る。
【００７８】
[0087]  ＵＥ ８０２が送信すべきデータを有するが、ｅＮＢ ８０４が構成されたＳＲまたはＵＥ ８０２のための競合ベースのリソースを有していない場合、通信コンポーネント６６１は、（例えば、下記でさらに説明されるようなｅＮＢ ８０４のＳＣｅｌｌにおいて）データをｅＮＢ ８０４に送信するためのリソースを受信するために、ｅＮＢ ８０４を用いてランダムアクセスプロシージャを実行し得ることが理解されるだろう。ランダムアクセスプロシージャは、この例では、ＵＥ ８０２のアップリンクがｅＮＢ ８０４と同期しない場合に競合ベースのアップリンク送信（例えば、バッファステータスの指示）を伴ったプリアンブルの送信を含み得るか、またはＵＥ ８０２のアップリンクがｅＮＢ ８０４と同期している場合にプリアンブルの送信を用いない競合ベースのアップリンク送信を伴ったプリアンブルの送信を含み得る。
【００７９】
[0088]  一例では、ＳＲモード選択および本明細書で説明されるＳＲ送信は、ｅＮＢ ８０４および／またはキャリアアグリゲーション（ＣＡ）あるいは複数の接続における他のｅＮＢを用いて、複数のキャリアのうちの１つで実行され得ることが理解されるだろう。例えば、ＳＲモード選択がｅＣＣまたは他のＳＣｅｌｌキャリアのために実行され得る一方、ＰＣｅｌｌキャリアは、より長い持続時間を有するＴＴＩ（例えば、ＬＴＥにおける１ｍｓサブフレームのＴＴＩ）に基づく通信技術について定義されるＳＲスケジューリングを使用し得る。加えて、これに関しＳＣｅｌｌキャリアは、リソース許可往復時間（resource grant turnaround time）より早いＳＲを提供するためにＰＣｅｌｌキャリアよりも短いＴＴＩを有し得、それは、ＳＣｅｌｌ ｅＣＣにおける改善されたレイテンシを提供し得る。そのため、方法９００は、ブロック９１８において、ＴＴＩよりも長い持続時間を有する別のＴＴＩを利用する別のＣＣに関連付けられたネットワークエンティティに、別のＳＲを送信することを任意で含み得る。ＳＲ送信コンポーネント８１４は、ＴＴＩよりも長い持続時間を有する別のＴＴＩ（例えば、１ｍｓサブフレームのＴＴＩ）を利用する別のＣＣ（例えば、ＰＣｅｌｌ ＣＣ）に関連付けられたネットワークエンティティ（例えば、ｅＮＢ ８０４）に、別のＳＲを送信し得る。これに関して、ＳＲ送信コンポーネント８１４は、本明細書で説明されるような複数のＣＣのうちの１つ以上についての異なるＴＴＩ持続時間に従って、複数のＣＣの各々に対してＳＲを送信し得る。
【００８０】
[0089]  さらに、ＳＲモード決定コンポーネント８１２は、ＳＣｅｌｌ ｅＣＣを介して送信されたある特定の論理チャネルのために１つ以上のＳＲモードを決定し得ることが理解されるだろう。よって、例えば、ブロック９０４において少なくとも１つのＳＲモードを選択すること、およびブロック９１０においてＳＲを送信することは、ＳＣｅｌｌ ｅＣＣ（例えば、ＬＴＥを使用する）によって取得されない可能性がある特定の望ましいレイテンシを取得するために、ＳＣｅｌｌ ｅＣＣを介して送信されたある特定の論理チャネルのために発生し得る。これは、ＵＥ ８０２における上位レイヤで構成され得る（例えば、ＲＲＣレイヤは、ＳＣｅｌｌ ｅＣＣ上のある特定のチャネルを、それらと関連付けられたレイテンシ、保証されたビットレート、サービス品質などを得るために構成し得る）ことが理解されるだろう。
【００８１】
[0090]  加えて、一例では、ＳＲ送信コンポーネント８１４は、ある時間の期間内の、ＳＲの反復された送信を回避するために、ＳＲ禁止タイマ８１６を維持し得る。例えば、ＵＥ ８０２が複数のＳＲモードのために構成される場合、ＳＲ送信コンポーネント８１４は、複数のＳＲモードに基づいて、複数のＴＴＩでＳＲを送信し得る。これに関して、例えば、ＳＲ送信コンポーネント８１４は、ＳＲが送信されるときにＳＲ禁止タイマ８１６を開始し得、また、選択されたＳＲモードのうちの１つ以上に従ってＳＲ送信が許可されるかどうかに関わらず、タイマの後に発生するＳＲ送信機会が満了するまで、ＳＲを再度送信することを控え得る。ＳＲ禁止タイマ８１６を開始するための値は、ネットワークノード（例えば、ｅＮＢ ８０４または別のノード）によって構成され、ＵＥ ８０２などの構成内で記憶され得る。
【００８２】
[0091]  図１０は、ワイヤレスネットワークにおいて、少なくとも１つのＳＲモードを（例えば、ｅＮＢによって）ＵＥに示すための方法１０００の例を例示する。方法１０００は、ブロック１００２において、アップリンクおよびダウンリンク通信間のＴＴＩの動的切り替えを可能にするフレーム構造を使用して、ＵＥと通信することを含む。スケジューリングコンポーネント６０２（図８）は、アップリンクおよびダウンリンク通信間のＴＴＩの動的切り替えを可能にするフレーム構造を使用して、ＵＥ（例えば、ＵＥ ８０２）と通信し得る。一例では、リソース許可生成コンポーネント８２０は、フレーム構造に基づいて設計されたリソースを用いてＵＥ ８０２を構成し得、それは、スケジューリングコンポーネント６０２がＵＥ ８０２へ／からの通信を送信および／または受信するために使用し得る。一例では、フレーム構造は、専用ダウンリンクＴＴＩ、アップリンクまたはダウンリンク通信のいずれかについて構成可能なＴＴＩ、および専用アップリンクＴＴＩを含むフレーム構造７００、７５０（図７）に類似し得る。さらに、例えば、スケジューリングコンポーネント６０２は、ＵＥ ８０２のためのフレーム構造を決定および通信し得、一例では、それは、専用アップリンク／ダウンリンクＴＴＩを示すこと、アップリンクまたはダウンリンク通信のために構成可能な他のＴＴＩについての構成を示すこと、構成可能なＴＴＩがダウンリンクからアップリンクにおよび／またはその逆も同様にいつ切り替えるかを示すことを含み得る。
【００８３】
[0092]  方法１０００はまた、ブロック１００４において、フレーム構造に少なくとも部分的に基づいて、アップリンク通信のために構成されたＴＴＩのうちの１つ以上において、ＵＥからのＳＲ送信のために少なくとも１つのＳＲモードを選択することを任意で含む。ＳＲモード選択コンポーネント８２２は、フレーム構造に少なくとも部分的に基づいて、アップリンク通信のために構成されたＴＴＩのうちの１つ以上において、ＵＥ（例えば、ＵＥ ８０２）からのＳＲ送信のために少なくとも１つのＳＲモードを選択し得る。加えて、例えば、ＳＲモード選択コンポーネント８２２は、１つ以上のｅＮＢ ８０４の能力、ＵＥ ８０２の能力、ｅＮＢ ８０４における負荷または容量、ＵＥ ８０２の電力クラスまたは加入者レベル、ＵＥ ８０２のデータレート要求またはその関連するＣＣ／ベアラなどに少なくとも部分的に基づいて、少なくとも１つのＳＲモードを選択し得る。
【００８４】
[0093]  方法１０００は、ブロック１００６において、ＵＥへの少なくとも１つのＳＲモードの指示を含む構成を送信することを任意でさらに含む。スケジューリングコンポーネント６０２は、ＵＥ（例えば、ＵＥ ８０２）への少なくとも１つのＳＲモードの指示を含む構成を送信し得る。この例では、ＵＥ ８０２は、少なくとも１つのＳＲモード（例えば、通信コンポーネント６６１において）を受信し得、ＳＲモード決定コンポーネント８１２は、ＳＲを送信するために１つ以上のＳＲモードを決定し得る。さらに、説明されるように、リソース許可生成コンポーネント８２０が、ＳＲを送信するために、および／または一般にアップリンク制御情報を送信するために、リソース許可を生成し得、スケジューリングコンポーネント６０２が、ＵＥ ８０２にリソース許可を送信し得ることが理解されるだろう。従って、リソース許可受信コンポーネント８１０は、リソース許可を受信し得、許可を使用して、およびｅＮＢ ８０４によって構成された少なくとも１つのＳＲモードに少なくとも部分的に基づいて、ＳＲを送信し得る。
【００８５】
[0094]  方法１０００はまた、ブロック１００８において、少なくとも１つのＳＲモードに少なくとも部分的に基づいて、アップリンク通信のために構成されたＴＴＩのうちの１つ以上において、ＳＲをＵＥから受信することを含み得る。スケジューリングコンポーネント６０２は、少なくとも１つのＳＲモードに少なくとも部分的に基づいて（例えば、ＵＥ ８０２に送信された構成および／またはＵＥ ８０２に対して許可されたＳＲリソースに従って）、アップリンク通信のために構成された１つ以上のＴＴＩにおいてＳＲをＵＥ ８０２から受信し得る。
【００８６】
[0095]  さらに、ブロック１００８においてＳＲを受信することは、ブロック１０１０において、アップリンク通信のために構成された１つ以上のＴＴＩにおいて、他の制御データと多重化されたＳＲを受信することを任意で含み得る。スケジューリングコンポーネント６０２は、アップリンク通信のために構成された１つ以上のＴＴＩにおいて、他の制御データと多重化されたＳＲを受信し得る。例えば、リソース許可生成コンポーネント８２０は、送信されたアップリンク制御データ（例えば、説明されるようなＡＣＫ／ＮＡＣＫ、ＣＳＩなど）についてのＵＥ ８０２へのリソースを許可し得、非周期的なＳＲがＵＥ ８０２において構成される場合、例えばＳＲ送信コンポーネント８１４は、説明されるように、制御データとＳＲを多重化し得る。よって、スケジューリングコンポーネント６０２は、ＳＲを受信および逆多重化し、その処理のためにデータを制御し得る。加えて、説明されるように、ブロック１００８においてＳＲを受信することは、ブロック１０１２において、競合ベースのリソースバッファステータスとともにＳＲを受信することを任意で含み得る。スケジューリングコンポーネント６０２は、競合ベースのリソースバッファステータスとともにＳＲを受信し得（例えば、バッファステータスがランダムアクセスプロシージャの一部として受信され得る場合）、一例では、リソース許可生成コンポーネント８２０は、バッファステータスに基づいてＵＥ ８０２へのリソースを許可し、ＳＲに基づいてＵＥ ８０２へのさらなるリソースを許可し得る。
【００８７】
[0096]  方法１０００はまた、ブロック１０１４において、ＴＴＩよりも長い持続時間を有する別のＴＴＩを利用する別のＣＣに関連付けられたＵＥから、別のＳＲを受信することを任意で含み得る。スケジューリングコンポーネント６０２は、ＴＴＩよりも長い持続時間を有する別のＴＴＩを利用した別のＣＣに関連付けられたＵＥ ８０２から別のＳＲを受信し得る。説明されるように、例えば、他のＣＣは、１ｍｓサブフレームＴＴＩに基づくＬＴＥ ＣＣであり得、ＳＲは、ＬＴＥにおいて定義される周期的なＳＲ送信に従って受信され得る。スケジューリングコンポーネント６０２は、ｅＣＣおよびＬＴＥ ＣＣのためにＳＲを適宜受信し得、リソース許可生成コンポーネント８２０は、説明されるように、ｅＣＣおよびＬＴＥ ＣＣの両方のために、ＵＥ ８０２へのリソース許可を生成し得る。
【００８８】
[0097]  開示された処理におけるステップの特定の順序または階層は、例示的な手法の一例であるということが理解される。設計の選好に基づいて、これらの処理におけるステップの特定の順序または階層は並べ替えられうるということが理解されるべきである。さらに、いくつかのステップは組み合わされるか、または省略され得る。添付の方法の請求項は、サンプルの順序における様々なステップの要素を表し、表された特定の順序または階層に限定されることが意図されるものではない。
【００８９】
[0098]  先の説明は、当業者に、本明細書に説明された様々な態様の実現を可能にさせるために提供されている。これらの態様への様々な修正は、当業者に容易に明らかとなり、本明細書に定義された一般的な原理は、他の態様に適用され得る。従って、請求項は、本明細書に示される態様に限定されことが意図されるものではなく、請求項の文言と矛盾しない最大範囲のものであると認められるべきであり、ここにおいて、単数の要素への参照は、そのように明確に記載されていない限り、「１つおよび１つのみ」を意味するのではなく、むしろ「１つ以上」を意味することが意図されている。そうでないと具体的に記載されない限り、「いくつかの」という用語は、１つ以上を指す。当業者に対して既知である、あるいは後に既知となる本明細書で説明される様々な態様の要素に対する全ての構造的および機能的な均等物は、参照によって本明細書に明確に組み込まれ、請求項によって包含されることが意図される。さらに、本明細書で開示されたものはどれも、そのような開示が請求項で明示的に記載されているかどうかに関わらず公共に献呈されることが意図されるものではない。要素が「〜のための手段」というフレーズを使用して明確に記載されていない限り、どの請求項の要素もミーンズプラスファンクションとして解釈されるべきではない。
以下に、本願の出願当初の特許請求の範囲に記載された発明を付記する。
［Ｃ１］
ワイヤレスネットワークにおいてスケジューリングリクエスト（ＳＲ）を通信するための方法であって、
アップリンクおよびダウンリンク通信間の送信時間間隔（ＴＴＩ）の動的切り替えを可能にするフレーム構造を使用して、ネットワークエンティティと通信することと、
前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択することと、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信することと
を備える、方法。
［Ｃ２］
前記ＴＴＩは、１つ以上の直交周波数分割多重シンボルに対応する、Ｃ１に記載の方法。
［Ｃ３］
１つ以上のＳＲモードを特定する前記ネットワークエンティティからの構成を受信することをさらに備え、ここにおいて、前記少なくとも１つのＳＲモードを選択することは、前記構成に基づいて、前記１つ以上のＳＲモードから前記少なくとも１つのＳＲモードを選択することを備える、Ｃ１に記載の方法。
［Ｃ４］
前記少なくとも１つのＳＲモードは、前記少なくとも１つのアップリンクＴＴＩにおける１つ以上の他の送信と前記ＳＲを多重化するための非周期的なＳＲモードを含む、Ｃ１に記載の方法。
［Ｃ５］
前記１つ以上の他の送信は、前記少なくとも１つのアップリンクＴＴＩにおけるハイブリッド自動再送／要求（ＨＡＲＱ）送信またはチャネル状態情報（ＣＳＩ）送信のうちの少なくとも１つを含む、Ｃ４に記載の方法。
［Ｃ６］
前記少なくとも１つのＳＲモードは、前記少なくとも１つのアップリンクＴＴＩを含むアップリンクＴＴＩとして専用である前記ＴＴＩの一部において前記ＳＲを周期的に送信するための周期的なＳＲモードを含む、Ｃ１に記載の方法。
［Ｃ７］
前記少なくとも１つのＳＲモードは、前記少なくとも１つのアップリンクＴＴＩを含む、アップリンクＴＴＩまたはダウンリンク／アップリンクＴＴＩとして構成可能な前記ＴＴＩの一部において前記ＳＲを送信するための日和見的なＳＲモードを含む、Ｃ１に記載の方法。
［Ｃ８］
前記ＴＴＩの前記一部の少なくとも１つにおいて、前記ＳＲの以前の送信をマスキングすることをさらに備え、ここにおいて、前記ＴＴＩの前記一部の前記少なくとも１つは、ダウンリンクＴＴＩとして構成される、Ｃ７に記載の方法。
［Ｃ９］
前記ＳＲを送信することは、ある時間の期間内の、前記ＳＲの繰り返された送信を回避することを可能にするＳＲ禁止タイマに少なくとも部分的に基づく、Ｃ１に記載の方法。
［Ｃ１０］
前記少なくとも１つのアップリンクＴＴＩにおいて、前記ＳＲとともに競合ベースのリソースバッファステータスを送信することをさらに備える、Ｃ１に記載の方法。
［Ｃ１１］
前記ＳＲは、前記ネットワークエンティティを用いて確立された複数のコンポーネントキャリアのうちの１つに対応する、Ｃ１に記載の方法。
［Ｃ１２］
前記ＴＴＩよりも長い持続時間の別のＴＴＩを利用する前記複数のコンポーネントキャリアのうちの別の１つに関連付けられた前記ネットワークエンティティに、別のＳＲを送信することをさらに備える、Ｃ１１に記載の方法。
［Ｃ１３］
前記複数のコンポーネントキャリアのうちの前記１つに前記ＳＲを送信することは、前記複数のコンポーネントキャリアのうちの前記１つを介して送信されるデータについての１つ以上のレイテンシパラメータに少なくとも部分的に基づく、Ｃ１１に記載の方法。
［Ｃ１４］
ワイヤレスネットワークにおいてスケジューリングリクエスト（ＳＲ）を通信するためのユーザ機器であって、
トランシーバと、
前記ワイヤレスネットワークにおいて、信号を通信するためのバスを介して前記トランシーバと通信可能に結合された少なくとも１つのプロセッサと、
前記バスを介して、前記少なくとも１つのプロセッサおよび／または前記トランシーバと通信可能に結合されたメモリと、
を備え、
ここにおいて、前記少なくとも１つのプロセッサおよび前記メモリは、
前記トランシーバを介して、アップリンクおよびダウンリンク通信間の送信時間間隔（ＴＴＩ）の動的切り替えを可能にするフレーム構造を使用して、ネットワークエンティティと通信することと、
前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択することと、
前記トランシーバを介して、前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信することと
を行うように動作可能である、ユーザ機器。
［Ｃ１５］
前記ＴＴＩは、１つ以上の直交周波数分割多重シンボルに対応する、Ｃ１４に記載のユーザ機器。
［Ｃ１６］
前記少なくとも１つのプロセッサおよび前記メモリは、１つ以上のＳＲモードを特定する前記ネットワークエンティティからの構成を受信することと、前記構成に基づいて、前記１つ以上のＳＲモードから前記少なくとも１つのＳＲモードを選択することとを行うようにさらに動作可能である、Ｃ１４に記載のユーザ機器。
［Ｃ１７］
前記少なくとも１つのＳＲモードは、前記少なくとも１つのアップリンクＴＴＩにおける１つ以上の他の送信と前記ＳＲを多重化するための非周期的なＳＲモードを含む、Ｃ１４に記載のユーザ機器。
［Ｃ１８］
前記１つ以上の他の送信は、前記少なくとも１つのアップリンクＴＴＩにおけるハイブリッド自動再送／要求（ＨＡＲＱ）送信またはチャネル状態情報（ＣＳＩ）送信のうちの少なくとも１つを含む、Ｃ１７に記載のユーザ機器。
［Ｃ１９］
前記少なくとも１つのＳＲモードは、前記少なくとも１つのアップリンクＴＴＩを含むアップリンクＴＴＩとして専用である前記ＴＴＩの一部において前記ＳＲを周期的に送信するための周期的なＳＲモードを含む、Ｃ１４に記載のユーザ機器。
［Ｃ２０］
前記少なくとも１つのＳＲモードは、前記少なくとも１つのアップリンクＴＴＩを含む、アップリンクＴＴＩまたはダウンリンク／アップリンクＴＴＩとして構成可能な前記ＴＴＩの一部において前記ＳＲを送信するための日和見的なＳＲモードを含む、Ｃ１４に記載のユーザ機器。
［Ｃ２１］
前記少なくとも１つのプロセッサおよび前記メモリは、前記ＴＴＩの前記一部の少なくとも１つにおいて、前記ＳＲの以前の送信をマスキングするようにさらに動作可能であり、前記ＴＴＩの前記一部の前記少なくとも１つは、ダウンリンクＴＴＩとして構成される、Ｃ２０に記載のユーザ機器。
［Ｃ２２］
前記少なくとも１つのプロセッサおよび前記メモリは、ある時間の期間内の、前記ＳＲの繰り返された送信を回避することを可能にするＳＲ禁止タイマに少なくとも部分的に基づいて、前記ＳＲを送信するように動作可能である、Ｃ１４に記載のユーザ機器。
［Ｃ２３］
前記少なくとも１つのプロセッサおよび前記メモリは、前記少なくとも１つのアップリンクＴＴＩにおいて、前記ＳＲとともに競合ベースのリソースバッファステータスを送信するように動作可能である、Ｃ１４に記載のユーザ機器。
［Ｃ２４］
前記ＳＲは、前記ネットワークエンティティを用いて確立された複数のコンポーネントキャリアのうちの１つに対応する、Ｃ１４に記載のユーザ機器。
［Ｃ２５］
前記少なくとも１つのプロセッサおよび前記メモリは、前記ＴＴＩよりも長い持続時間の別のＴＴＩを利用する前記複数のコンポーネントキャリアのうちの別の１つに関連付けられた前記ネットワークエンティティに、別のＳＲを送信するように構成可能である、Ｃ２４に記載のユーザ機器。
［Ｃ２６］
前記少なくとも１つのプロセッサおよび前記メモリは、前記複数のコンポーネントキャリアのうちの前記１つを介して送信されるデータについての１つ以上のレイテンシパラメータに少なくとも部分的に基づいて、前記複数のコンポーネントキャリアのうちの前記１つに前記ＳＲを送信するように構成可能である、Ｃ２４に記載のユーザ機器。
［Ｃ２７］
ワイヤレスネットワークにおいてスケジューリングリクエスト（ＳＲ）を通信するためのユーザ機器であって、
アップリンクおよびダウンリンク通信間の送信時間間隔（ＴＴＩ）の動的切り替えを可能にするフレーム構造を使用して、ネットワークエンティティと通信するための手段と、  前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択するための手段と、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信するための手段と
を備える、ユーザ機器。
［Ｃ２８］
前記ＴＴＩは、１つ以上の直交周波数分割多重シンボルに対応する、Ｃ２７に記載のユーザ機器。
［Ｃ２９］
ワイヤレスネットワークにおいてスケジューリングリクエスト（ＳＲ）を通信するためのコンピュータ実行可能なコードを備える、コンピュータ読取可能な記憶媒体であって、前記コードは、
アップリンクおよびダウンリンク通信間の送信時間間隔（ＴＴＩ）の動的切り替えを可能にするフレーム構造を使用して、ネットワークエンティティと通信するためのコードと、
前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択するためのコードと、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信するためのコードと
を備える、コンピュータ読取可能な記憶媒体。
［Ｃ３０］
前記ＴＴＩは、１つ以上の直交周波数分割多重シンボルに対応する、Ｃ２９に記載のコンピュータ読取可能な記憶媒体。
【図１】
0006615874.tif 000002
【図２】
0006615874.tif 000003
【図３】
0006615874.tif 000004
【図４】
0006615874.tif 000005
【図５】
0006615874.tif 000006
【図６】
0006615874.tif 000007
【図７】
0006615874.tif 000008
【図８】
0006615874.tif 000009
【図９】
0006615874.tif 000010
【図１０】
0006615874.tif 000011